(57)【要約】【課題】高速に複製光記録情報媒体の製造を可能とする複製用原盤の製造装置、複製ホログラム記録媒体の製造装置および複製用ホログラム原盤を提供し、さらに複製用原盤の製造方法および複製ホログラム記録媒体の製造方法を提供する。【解決手段】光学部１００を有する製造装置を用いる。プリズム６２ａは、複製用原盤６０Ａの表面に光学的に密着配置されており、プリズム６２ａの入射面において原盤製造用参照光７６ｂを全反射することなく被変調コアクシャル光７５ｂが集光された記録層６０ａに導くことができる。スピンドルモータ９８と移動台座４９とは、原盤製造用参照光７６ｂと被変調コアクシャル光７５ｂとが干渉してホログラムが形成される記録層６０ａの位置を移動させる。このようにして、所定の範囲にホログラムが形成された複製用原盤を製造する。【選択図】図２
2008027532.tif 000002
【特許請求の範囲】
【請求項１】
記録データを担持するホログラムを複製ホログラム記録媒体に複製するために用いる複製用原盤の製造装置であって、
レーザ光源からの光ビームをコアクシャル光と原盤製造用参照光とに分割するビームスプリッタと、
前記コアクシャル光に空間光変調を施して、所定の参照光と記録データに応じた信号光とを同軸状に配置した被変調コアクシャル光を生成する空間光変調器と、
前記被変調コアクシャル光を前記複製用原盤の記録層に集光させる集光手段と、
前記原盤製造用参照光を入射させ、前記被変調コアクシャル光が集光された前記記録層に前記原盤製造用参照光を導く、前記複製用原盤の表面に光学的に密着配置されるプリズムと、
前記原盤製造用参照光と前記被変調コアクシャル光とが干渉してホログラムが形成される前記記録層の位置を移動させるホログラム形成位置移動手段と、
を備える複製用原盤の製造装置。
【請求項２】
前記被変調コアクシャル光は前記複製用原盤の一方の表面から照射され、前記原盤製造用参照光は前記複製用原盤の他方の表面から照射されるように、前記集光手段と前記プリズムとが前記複製用原盤を挟むように配置され、
前記複製用原盤の前記一方の表面の裏面側で全反射をさせるような入射角度で前記原盤製造用参照光を前記プリズムに導く光路形成手段を具備することを特徴とする請求項１に記載の複製用原盤の製造装置。
【請求項３】
前記被変調コアクシャル光と前記原盤製造用参照光とは前記複製用原盤の同一面から照射されるように、前記集光手段と前記プリズムとが前記複製用原盤の前記同一面の側に配置され、
前記原盤製造用参照光を前記プリズムに導く光路形成手段を具備することを特徴とする請求項１に記載の複製用原盤の製造装置。
【請求項４】
前記複製用原盤の表面と前記プリズムとを光学的に密着配置するために、
前記複製用原盤の表面と前記プリズムとの間隙に、光ビームを透過する光学的密着媒質を充填することを特徴とする請求項１に記載の複製用原盤の製造装置。
【請求項５】
前記ホログラム形成位置移動手段は、円版形状とされる前記複製用原盤の中心点を回転中心として回転させるスピンドルモータを有することを特徴とする請求項１に記載の複製用原盤の製造装置。
【請求項６】
前記ホログラム形成位置移動手段は、円版形状とされる前記複製用原盤の中心点を回転中心として回転させるスピンドルモータを有し、
前記スピンドルモータのスピンドルモータ回転軸の回転角度に同期して、前記原盤製造用参照光の入射方向および前記プリズムの位置を移動させることを特徴とする請求項１に記載の複製用原盤の製造装置。
【請求項７】
前記ホログラム形成位置移動手段は、円版形状とされる前記複製用原盤の中心点を回転中心として回転させるスピンドルモータを有し、
前記スピンドルモータのスピンドルモータ回転軸の回転角度に同期して、前記原盤製造用参照光の入射方向、前記プリズムの位置、光軸を中心とする前記被変調コアクシャル光の位置および前記空間光変調器に表示される像を回転させることを特徴とする請求項１に記載の複製用原盤の製造装置。
【請求項８】
複製用原盤に形成された記録データを担持するホログラムを複製ホログラム記録媒体に複製する複製ホログラム記録媒体の製造装置であって、
前記複製用原盤と前記複製ホログラム記録媒体との相対位置を所定配置とする位置決め手段と、
複製用参照光を発生させるとともに、前記複製用原盤の記録層の所定領域に前記複製用参照光を照射する複製用参照光発生照射手段と、
前記複製用参照光を前記複製用原盤の記録層に導くために前記複製用原盤の表面に光学的に密着配置されるプリズムと、を備え、
前記複製用原盤は、
前記記録層を透過した前記複製用参照光を再び前記記録層に対して反射するととともに、前記記録層からの回折光を透過する保持基板を有することを特徴とする、
複製ホログラム記録媒体の製造装置。
【請求項９】
前記複製用参照光発生照射手段は、
スポット形状の前記複製用参照光を発生させるレーザ光源と、
前記所定領域に前記複製用参照光を照射するための、前記複製用原盤と前記複製ホログラム記録媒体とをともに回転させるスピンドルモータと、
前記複製用原盤に照射される前記スポット形状の前記複製用参照光の位置を前記複製用原盤の半径方向に変化させる光スポット移動手段と、
を具備する請求項８に記載の複製ホログラム記録媒体の製造装置。
【請求項１０】
前記複製用参照光発生照射手段は、
スポット形状の前記複製用参照光を発生させるレーザ光源と、
前記スポット形状の前記複製用参照光を帯状の前記複製用参照光に整形するアナモプリズムと、
前記所定領域に前記複製用参照光を照射するための、前記複製用原盤と前記複製ホログラム記録媒体とをともに回転させるスピンドルモータと、
を具備する請求項８に記載の複製ホログラム記録媒体の製造装置。
【請求項１１】
前記複製用参照光発生照射手段は、
スポット形状の前記複製用参照光を発生させるレーザ光源と、
前記スポット形状の前記複製用参照光を帯状の前記複製用参照光に整形する第１のアナモプリズムと、
前記帯状の前記複製用参照光の短手方向の長さを拡張して前記所定領域を覆う範囲の広さの前記複製用参照光に整形する第２のアナモプリズムと、
を具備する請求項８に記載の複製ホログラム記録媒体の製造装置。
【請求項１２】
記録データを担持するホログラムを複製ホログラム記録媒体に複製するために用いる円盤形状の複製用原盤であって、
前記ホログラムが形成された記録層と、
前記記録層を保持するために前記記録層の両面に各々配され、各々が円盤形状の保持基板と、を備え、
前記保持基板の一方は、円盤形状の中心点の厚みが最も厚くされたコーン状に、または、円盤形状の中心点の厚みが最も薄くされたコーン形状に形成されてプリズムとして機能することを特徴とする複製用原盤。
【請求項１３】
記録データを担持するホログラムを複製ホログラム記録媒体に複製するために用いる複製用原盤の製造方法であって、
レーザ光源からの光ビームをコアクシャル光と原盤製造用参照光とに分割し、
前記コアクシャル光に空間光変調を施して、所定の参照光と記録データに応じた信号光とを同軸状に配置した被変調コアクシャル光を生成し、
前記被変調コアクシャル光を前記複製用原盤の記録層に集光し、
前記複製用原盤の表面に光学的に密着配置されるプリズムによって前記原盤製造用参照光を全反射することなく前記被変調コアクシャル光が集光された前記記録層に導き、
前記原盤製造用参照光と前記被変調コアクシャル光とが干渉してホログラムが形成される前記記録層の位置を移動させ、
前記複製用原盤の所定範囲にホログラムを形成する複製用原盤の製造方法。
【請求項１４】
記録データを担持する複製用原盤に形成されたホログラムを複製ホログラム記録媒体に複製する複製ホログラム記録媒体の製造方法であって、
前記複製用原盤と前記複製ホログラム記録媒体との相対位置を所定配置とし、
前記複製用原盤の表面にプリズムを光学的に密着配置し、
前記複製用原盤のホログラムが形成された記録層に照射する複製用参照光を発生させ、
前記プリズムによって全反射することなく前記複製用参照光を前記複製用原盤に入射させ、
前記複製用原盤の前記記録層からの回折光を前記複製ホログラム記録媒体に照射させる複製ホログラム記録媒体の製造方法。
【発明の詳細な説明】
【技術分野】
【０００１】
本発明は、ホログラム記録媒体の複製用原盤の製造方法、複製ホログラム記録媒体の製造方法、複製用原盤の製造装置、複製ホログラム記録媒体の製造装置および複製用原盤に関する。
【背景技術】
【０００２】
近年、高記録密度を達成するとともに、高転送速度で記録データを記録再生することが可能なデータストレージデバイスとしてホログラフィックメモリが注目を集めている。ホログラフィックメモリでは、記録媒体の厚み方向も活用し、記録に際しては、２次元の情報を１ページ単位として記録データに応じたページデータに基づき参照光と信号光との干渉縞を、ホログラム記録媒体の中にホログラムとして形成して、３次元的に一度に記録するものである。また、再生に際しては、このようにして形成されたホログラムに参照光を照射して発生する回折光を得て記録データを再生する（特許文献１、非特許文献１を参照）。
【０００３】
一方、ＣＤ（Ｃｏｍｐａｃｔ  Ｄｉｓｃ）フォーマット、ＤＶＤ（Ｄｉｇｉｔａｌ  Ｖｅｒｓａｔｉｌｅ  Ｄｉｓｃ）フォーマットに基づくデータストレージデバイスが、現在、広く普及している。これらの技術においては、記録媒体に追記、再書換が可能とされる記録媒体のみではなく、多量に複製して頒布できるＣＤ−ＲＯＭ、ＤＶＤ−ＲＯＭで代表されるＲＯＭ媒体（再生専用媒体）が広く用いられている。ＣＤ−ＲＯＭ、ＤＶＤ−ＲＯＭにおいては、複製用原盤であるマスター盤を製作し、あるいは、マスター盤からさらにマザー盤を製作し、マスター盤またはマザー盤を原盤として、この原盤の型に樹脂を流して成型して、原盤のレプリカであるＣＤ−ＲＯＭ、ＤＶＤ−ＲＯＭを大量に製造する手法が採用されている。
【０００４】
ホログラム記録媒体においても、上述した、ＣＤ−ＲＯＭ、ＤＶＤ−ＲＯＭと同様に、同一形状のホログラムが形成されたホログラム記録媒体を多量に複製することが考えられている。このような技術については特許文献２に開示されている。特許文献２では、記録済みのホログラム記録媒体を多量に複製するための元となる光記録情報媒体への光情報記録方法、このような元となる光記録情報媒体を用いての他の光記録情報媒体への光情報記録方法が開示されている。このような技術においては、如何に高速に多量の複製光記録情報媒体へ記録できるかが重要な技術ポイントとされている。
【０００５】
特許文献２は、この点に鑑み、複製するための元となる光情報記録媒体への光情報記録方法としては、情報を担持した情報光と記録用参照光とからなる仮想情報光を生成して、仮想情報光および仮想記録用参照光を光情報記録媒体に照射するようにしている。また、複製光情報記録媒体への光情報記録方法としては、元となる光情報記録媒体に仮想再生用参照光を照射して、元となる光情報記録媒体から発生する仮想情報光を光情報記録媒体に照射する光情報記録方法が記述され、大口径の対物レンズを用いて仮想情報光を一度に光情報記録媒体に照射する技術が開示されている。
【０００６】
また、非特許文献２においては、マスター（原盤）とレプリカ（複製盤）とを隣接配置し、再生の参照光とレプリカ転写への参照光とを共有させて複製盤を複製する技術が開示されている。
【特許文献１】特開２００４−２２６８２１号公報
【特許文献２】国際公開ＷＯ２００５／０３８７８９Ａ１  パンフレット
【非特許文献１】日経エレクトロニクス２００５年１月１７日号１０６頁〜１１４頁
【非特許文献２】F.Mok  “Holographic Read-Only Memory”in Holographic Data Storage, H.J.Coufal, D.Psaltis, and G.Sincerbox, eds.,(Springer-Verlag, New York, 2000)
【発明の開示】
【発明が解決しようとする課題】
【０００７】
特許文献２に開示された光情報記録方法では、高速に多量の複製光記録情報媒体へ記録する場合には、複製光記録情報媒体のサイズに応じて、対物レンズの直径を大きくすることが要求される。ところが、高解像度の大口径の対物レンズの製造は極めて困難であり、このために、直径の大きな対物レンズは高価である。このような原因から、このような光情報記録方法の採用には困難があった。本発明はかかる課題を解決して、背景技術に示すよりも、より安価な製造設備によって高速に複製光記録情報媒体の製造を可能とするためのホログラム記録媒体の複製用原盤の製造装置、複製ホログラム記録媒体の製造装置および複製用ホログラム原盤を提供し、また、背景技術に示すよりも、より簡便でありながら、高速な製造を可能とする複製用原盤の製造方法および複製ホログラム記録媒体の製造方法を提供することを目的とする。
【課題を解決するための手段】
【０００８】
本発明の複製用原盤の製造装置は、記録データを担持するホログラムを複製ホログラム記録媒体に複製するために用いる複製用原盤の製造装置であって、レーザ光源からの光ビームをコアクシャル光と原盤製造用参照光とに分割するビームスプリッタと、前記コアクシャル光に空間光変調を施して、所定の参照光と記録データに応じた信号光とを同軸状に配置した被変調コアクシャル光を生成する空間光変調器と、前記被変調コアクシャル光を前記複製用原盤の記録層に集光させる集光手段と、前記原盤製造用参照光を入射させ、前記被変調コアクシャル光が集光された前記記録層に前記原盤製造用参照光を導く、前記複製用原盤の表面に光学的に密着配置されるプリズムと、前記原盤製造用参照光と前記被変調コアクシャル光とが干渉してホログラムが形成される前記記録層の位置を移動させるホログラム形成位置移動手段と、を備える。
【０００９】
この複製用原盤の製造装置では、ビームスプリッタは、レーザ光源からの光ビームをコアクシャル光と原盤製造用参照光とに分割する。空間光変調器は、コアクシャル光に空間光変調を施して、所定の参照光と記録データに応じた信号光とを同軸状に配置した被変調コアクシャル光を生成する。集光手段は、被変調コアクシャル光を複製用原盤の記録層に集光させる。プリズムは、複製用原盤の表面に光学的に密着配置されており、原盤製造用参照光を入射させ、被変調コアクシャル光が集光された記録層に原盤製造用参照光を導くことができる。ホログラム形成位置移動手段は、原盤製造用参照光と被変調コアクシャル光とが干渉してホログラムが形成される記録層の位置を移動させる。このようにして、所定の範囲にホログラムが形成された複製用原盤を製造できる。
【００１０】
本発明の複製ホログラム記録媒体の製造装置は、複製用原盤に形成された記録データを担持するホログラムを複製ホログラム記録媒体に複製する複製ホログラム記録媒体の製造装置であって、前記複製用原盤と前記複製ホログラム記録媒体との相対位置を所定配置とする位置決め手段と、複製用参照光を発生させるとともに、前記複製用原盤の記録層の所定領域に前記複製用参照光を照射する複製用参照光発生照射手段と、前記複製用参照光を前記複製用原盤の記録層に導くために前記複製用原盤の表面に光学的に密着配置されるプリズムと、を備え、前記複製用原盤は、前記記録層を透過した前記複製用参照光を再び前記記録層に対して反射するととともに、前記記録層からの回折光を透過する保持基板を有することを特徴とする。
【００１１】
この複製ホログラム記録媒体の製造装置では、位置決め手段は複製用原盤と複製ホログラム記録媒体との相対位置を所定配置とする。複製用参照光発生照射手段は複製用参照光を発生させるとともに、複製用原盤の記録層の所定領域に複製用参照光を照射する。プリズムは複製用参照光を複製用原盤の記録層に導くために複製用原盤の表面に光学的に密着配置される。複製用原盤は保持基板を有しており、この保持基板は、複製用原盤の記録層を透過した複製用参照光を再び記録層に対して反射するととともに、記録層からの回折光を透過する。これによって複製用原盤の記録層から発生した回折光によって複製ホログラム記録媒体にホログラムが複製される。
【００１２】
本発明の複製用原盤は、記録データを担持するホログラムを複製ホログラム記録媒体に複製するために用いる円盤形状の複製用原盤であって、前記ホログラムが形成された記録層と、前記記録層を保持するために前記記録層の両面に各々配され、各々が円盤形状の保持基板と、を備え、前記保持基板の一方は、円盤形状の中心点の厚みが最も厚くされたコーン状に、または、円盤形状の中心点の厚みが最も薄くされたコーン形状に形成されてプリズムとして機能する。
【００１３】
この複製用原盤では、複製用原盤は円盤形状をしている。記録層に記録データを担持するホログラムが形成されている。円盤形状の保持基板が記録層を保持するために記録層の両面の各々に配されている。この保持板の一方は、プリズムとして機能する。ここで、プリズムの形状は円盤形状の中心点の厚みが最も厚くされ、または、最も薄くされている。
【００１４】
本発明の複製用原盤の製造方法は、記録データを担持するホログラムを複製ホログラム記録媒体に複製するために用いる複製用原盤の製造方法であって、レーザ光源からの光ビームをコアクシャル光と原盤製造用参照光とに分割し、前記コアクシャル光に空間光変調を施して、所定の参照光と記録データに応じた信号光とを同軸状に配置した被変調コアクシャル光を生成し、前記被変調コアクシャル光を前記複製用原盤の記録層に集光し、前記複製用原盤の表面に光学的に密着配置されるプリズムによって前記原盤製造用参照光を全反射することなく前記被変調コアクシャル光が集光された前記記録層に導き、前記原盤製造用参照光と前記被変調コアクシャル光とが干渉してホログラムが形成される前記記録層の位置を移動させ、前記複製用原盤の所定範囲にホログラムを形成する。
【００１５】
この複製用原盤の製造方法では、レーザ光源からの光ビームをコアクシャル光と原盤製造用参照光とに分割する。また、コアクシャル光に空間光変調を施して、所定の参照光と記録データに応じた信号光とを同軸状に配置した被変調コアクシャル光を生成する。また、被変調コアクシャル光を複製用原盤の記録層に集光する。また、複製用原盤の表面に光学的に密着配置されるプリズムによって原盤製造用参照光を全反射することなく被変調コアクシャル光が集光された記録層に導く。また、原盤製造用参照光と被変調コアクシャル光とが干渉してホログラムが形成される記録層の位置を移動させ、複製用原盤の所定範囲にホログラムを形成する。
【００１６】
本発明の複製ホログラム記録媒体の製造方法は、記録データを担持する複製用原盤に形成されたホログラムを複製ホログラム記録媒体に複製する複製ホログラム記録媒体の製造方法であって、前記複製用原盤と前記複製ホログラム記録媒体との相対位置を所定配置とし、前記複製用原盤の表面にプリズムを光学的に密着配置し、前記複製用原盤のホログラムが形成された記録層に照射する複製用参照光を発生させ、前記プリズムによって全反射することなく前記複製用参照光を前記複製用原盤に入射させ、前記複製用原盤の前記記録層からの回折光を前記複製ホログラム記録媒体に照射させる。
【００１７】
この複製ホログラム記録媒体の製造方法では、複製用原盤と複製ホログラム記録媒体との相対位置を所定配置とする。また、複製用原盤の表面にプリズムを光学的に密着配置する。また、複製用原盤のホログラムが形成された記録層に照射する複製用参照光を発生させる。また、プリズムによって全反射することなく複製用参照光を複製用原盤に入射させる。また、複製用原盤の記録層からの回折光を複製ホログラム記録媒体に照射させる。これによって、複製ホログラム記録媒体が製造される。
【発明の効果】
【００１８】
本発明によれば、安価な製造設備によって高速に複製光記録情報媒体の製造を可能とするためのホログラム記録媒体の複製用原盤の製造装置、複製ホログラム記録媒体の製造装置および複製用原盤を提供し、また、安価でありながら高速に製造を可能とする複製用原盤の製造方法および複製ホログラム記録媒体の製造方法を提供できる。
【発明を実施するための最良の形態】
【００１９】
以下、本発明の実施形態を順に説明する。まず、実施形態の説明に先立ち、コアクシャル光学系を有してなるコアクシャル方式のホログラム記録再生装置の一例について簡単に説明する。このホログラム記録再生装置は、ホログラム記録媒体に記録データに応じたホログラムを記録し、ホログラム記録媒体の記録データを担持するホログラムから記録データを再生する装置である。次に、実施形態の説明として、ホログラム記録媒体の複製用原盤の製造装置、製造方法およびそれに用いるに好適なる複製用原盤について説明する。さらに、そのような複製用原盤を用いた、複製ホログラム記録媒体の製造装置および複製ホログラム記録媒体の製造方法について説明する。最後に、これらの実施形態のいくつかの変形例について説明する。ここで、複製ホログラム記録媒体の用語の内容は以下において詳述されるが、要約すれば、複製用原盤の記録データを担持するホログラムを複製したホログラム記録媒体であって、いわゆる、ＲＯＭ（Ｒｅａｄ  Ｏｎｌｙ  Ｍｅｍｏｒｙ）としての機能のみを有するホログラム記録媒体と、ＲＯＭ領域に加えて追記可能な領域も有するホログラム記録媒体との両方を含むものである。
【００２０】
（コアクシャル方式のホログラム記録再生装置）
コアクシャル方式のホログラム記録装置では、後述する信号光と参照光との各々を同軸状（コアクシャル）に配置し、このような配置を有することによって、信号光が通過する光路と参照光が通過する光路との各々を構成する光学部品の少なくとも一部を共有する。このような構成によって、複製ホログラム記録媒体を含むホログラム記録媒体の記録再生を行うことができるため、ホログラム記録装置（以下、記録再生装置と省略する場合もある）の光学部の簡略化ができる。さらに従来のＣＤ、ＤＶＤなどの光ディスクとの互換性が比較的に容易であるために、将来の記録再生装置として注目を集めている。
【００２１】
図１にコアクシャル方式のホログラム記録装置の要部としての光学部１０の概念図を示す。光学部１０は、レーザ光源２０、偏光ビームスプリッタ２２、液晶等で形成された空間光変調器２３、フーリエ変換レンズ２４、アイリス２５、フーリエ変換レンズ２６、１／４波長板２７、対物レンズ２８を主要なる光学部品として備える。ここで、レーザ光源２０は、シングルモードレーザ、アナモプリズム、パワーモニタ、アイソレータ、シャッタおよび空間フィルタ（いずれも図示しない）を有してなるものである。
【００２２】
レーザ光源２０のシングルモードレーザは、例えば、外部共振型レーザであって、シングルモードの光ビームを出射する。そして、光ビームは、アナモプリズムを通過してビームプロファイルを整形され、パワーモニタを通過することによって光ビーム強度を測定され、アイソレータを通過することによってシングルモードレーザへの戻り光が遮断され、シャッタを通過することによってシャッタがオンかオフかによって光ビームがそれ以降の光学部品を通過するか否かが制御され、空間フィルタを通過することによって収差を補正して良好な波長特性を有するものとなされる。
【００２３】
そして、さらに、光ビームは、図１に図示される光学部品で構成される以下の光路を通過する。光ビームは、偏光ビームスプリッタ２２で反射されて、空間光変調器２３に照射される。そして、空間光変調器２３に表示されるパターンに応じて変調を受けた光ビームを反射する。ここで、空間光変調器２３は記録データに基づく信号光パターンを表示する信号光空間光変調部と参照光パターンを表示する参照光空間光変調部との２つの光ビームの反射領域を有している。例えば、空間光変調器２３の外周部に中空のリング形状として参照光空間光変調部が、空間光変調器２３の内周部に円形の形状として信号光空間光変調部が、同軸状に形成されている。空間変調器２３で光ビームが反射する際に偏光方向はπ／２変化する。これらの反射領域で反射される光ビームは、同じ中心線を有して同軸状に配置される信号光および参照光として、この中心線を光学部品の光軸と一致させてフーリエ変換レンズ２４、アイリス２５、フーリエ変換レンズ２６、１／４波長板２７、対物レンズ２８を通過する。すなわち、信号光と参照光とが光路を共通として、通常の記録と再生のために用いられるホログラム記録媒体５０に入射される。
【００２４】
ここで、通常のホログラム記録媒体５０とは、後述する実施形態の製造装置、製造方法を用いて製造した複製ホログラム記録媒体とは異なりＲＯＭとしての機能を有しない記録再生が可能な媒体である。ホログラム記録媒体５０は、保持基板５０ｃ、記録層５０ａ、保持基板５０ｂ、反射層５０ｄ、保護層５０ｅを有している。保持基板５０ｃおよび保持基板５０ｂの各々は光ビームを透過するガラス、ポリカーボネイト等の材料で形成され、保持基板５０ｃの厚み（例えば０．５ｍｍ）は、保持基板５０ｂの厚み（例えば０．１ｍｍ）よりも大きいものとされている。記録層５０ａは、例えば、フォトポリマーで形成されている。反射層５０ｄは、例えば、アルミで形成され、保護層５０ｅは例えば、樹脂で形成されている。なお、後述する複製ホログラム記録媒体は、このような、ホログラム記録媒体５０と記録再生の互換性を有している。
【００２５】
そして、信号光と参照光とはフォトポリマー等で形成された記録層５０ａにおいて干渉する。そして、この干渉の態様に応じて記録層５０ａのモノマーがポリマーに変化し、微小領域における屈折率が変化をして、屈折率パターンに応じた回折格子（ホログラム）として記録データが記録される。ここで、フーリエ変換レンズ２４はフーリエ像形成面を作り出すために、アイリス２５は、そのフーリエ像形成面で余分な光を遮蔽するために、フーリエ変換レンズ２６は再び実像形成面を作り出すために、１／４波長板２７は直線偏光を円偏光に変換するために、対物レンズ２８は信号光および参照光を記録層５０ａの所定領域に集光するために、各々用いられる。
【００２６】
次に、再び図１を参照して、コアクシャル方式のホログラム再生装置の要部としての光学部１０について説明する。コアクシャル方式のホログラム再生装置では、上述した、レーザ光源２０、偏光ビームスプリッタ２２、空間光変調器２３、フーリエ変換レンズ２４、アイリス２５、フーリエ変換レンズ２６、１／４波長板２７、対物レンズ２８に加えて、ＣＣＤ（Ｃｈａｒｇｅ  Ｃｕｐｌｅｄ  Ｄｅｖｉｃｅ）またはＣＯＳセンサ等のイメージセンサ２９を備える。
【００２７】
再生においては、空間光変調器２３の参照光空間光変調部に参照光パターンのみを表示させ、信号光空間光変調部は全黒のパターン（光ビームの反射を阻止するパターン）とする。そして、記録時と同様に、レーザ光源２０からの光ビームは、偏光ビームスプリッタ２２で反射されて、空間光変調器２３で再び反射する。そして、空間光変調器２３は、上述したようにして、参照光空間光変調部のみで光変調を受けて反射する光ビームは、フーリエ変換レンズ２４、アイリス２５、フーリエ変換レンズ２６、１／４波長板２７、対物レンズ２８を通過し、ホログラム記録媒体５０の記録層５０ａに入射される。
【００２８】
ここで、この参照光によって記録層５０ａに形成されたホログラムに応じた再生光（回折光）が生じ、反射層５０ｄで反射する。この再生光は、対物レンズ２８、１／４波長板２７、フーリエ変換レンズ２６、アイリス２５、フーリエ変換レンズ２４の順に各々の光学部品を通過して、１／４波長板２７によって偏光方向がπ／２変化させられて直線偏光となり、偏光ビームスプリッタ２２の作用によって光ビームの進行方向を変化させられた再生光は、イメージセンサ２９に照射される。そして、このイメージセンサ２９から得られる電気信号はホログラムの形状、すなわち、記録データに応じた信号であるので、図示しない制御部において、この電気信号から記録データが再生できる。
【００２９】
ここで、コアクシャル方式のホログラム記録再生装置（記録および再生の両方が行える装置）においては、上述した、記録の動作にかかる光学部品と、上述した、再生の動作にかかる光学部品とのすべてを備えるものとして光学系は構成されている。また、コアクシャル方式のホログラム記録装置においては、上述した、記録の動作にかかる光学部品のみを備え、また、コアクシャル方式のホログラム再生装置においては、上述した、再生の動作にかかる光学部品のみを備えるものである。
【００３０】
（ホログラム記録媒体の複製のための複製用原盤の製造装置、製造方法および複製用原盤について）
図１に示す光学部１０を有するホログラム再生装置によって記録データの再生を可能とし、または、追記可能な領域を有する場合には追記（記録）と再生とを可能とする複製ホログラム記録媒体を製造するための原盤（以下、複製用原盤と省略して用いる）の製造装置（以下、複製用原盤製造装置と省略して用いる）の主要部を図２、図３、図５、図８および図１０を参照して説明する。また、図４、図６、図７および図９を参照して複製用原盤製造装置の動作の説明をする。図２ないし図７は、第１実施形態の複製用原盤を製造するための技術について説明するための図であり、図８ないし図１０は、第２実施形態の複製用原盤を製造するための技術について説明するための図である。ここで、ホログラムが形成される前の未記録の複製用原盤、または、ホログラムが一部記録されているが、予定されているすべての領域（所定領域）に形成されていない複製用原盤には複製用原盤６０Ａの符号を付し、第１実施形態の複製用原盤には複製用原盤６０Ｂの符号を付し、第２実施形態の複製用原盤には複製用原盤６０Ｃの符号を付して以下の説明をおこなう。
【００３１】
（第１実施形態の複製用原盤およびその製造技術について）
図２は、図１に示す光学部１０を有するホログラム再生装置によって記録データの再生を可能とする、複製ホログラム記録媒体を複製するための原盤である複製用原盤の製造装置の主要部である光学部１００を示すものである。また、図３は、図２に示す光学部１００の部分拡大図を示すものである。以下、図２および図３に沿って第１実施形態の複製用原盤を製造する技術について説明する。
【００３２】
複製用原盤の製造装置の主要部である光学部１００は、レーザ光源３０、半波長板４０、偏光ビームスプリッタ３２ａ、偏光ビームスプリッタ３２ｂ、液晶等で形成された空間光変調器３３ａ、フーリエ変換レンズ３４、アイリス３５、フーリエ変換レンズ３６、対物レンズ３８、ダミーガラス６１ａ、プリズム６２ａ、アパーチャー４４、ミラー４５ａ、ミラー４５ｂを主要なる光学部品として備える。また、複製用原盤の製造装置は、機構部品として、複製用原盤６０Ａを光学部１００に対して相対的に移動させるために、スピンドルモータ４８および移動台座４９とを備える。スピンドルモータ４８は複製用原盤６０Ａを装着用部材４７ａおよび装着用部材４７ｂで圧着して、回転中心軸となるスピンドルモータ回転軸４８ａの回りで回転させ、移動台座４９はスピンドルモータ固定部４８ｂに固着されて、図示しない駆動機構からの移動力によって図２の紙面の左右方向（Ｙ軸方向）に複製用原盤６０Ａを移動させるようになされている。なお、図２においては、紙面の左方向をＹ軸の正方向、紙面の上方をＺ軸の正方向、紙面の表面側から裏面側へ向かう方向をＸ軸の正方向として、Ｘ軸、Ｙ軸およびＺ軸の各々は相互に直交するものとして以下の説明に用いる。
【００３３】
レーザ光源３０のシングルモードレーザは、例えば、リトロウ型またはリットマン型に代表される外部共振型レーザであって、シングルモードの光ビームを出射する。そして光ビームは、レーザ光源３０に具備された、いずれも図示しない以下の光学部品を順に通過する。光ビームは、アナモプリズムを通過してビームプロファイルを整形され、パワーモニタを通過することによって光ビーム強度を測定され、アイソレータを通過することによってシングルモードレーザへの戻り光が遮断され、シャッタを通過することによってシャッタがオンかオフかによって光ビームがそれ以降の光学部品を通過するか否かが制御され、空間フィルタを通過することによって収差を補正して良好な波長特性を有するものとなされる。
【００３４】
そして、このレーザ光源３０から出射された光ビームは、半波長板４０によって偏光面を回転させられ、偏光ビームスプリッタ３２ａによって原盤製造用参照光７６ａとコアクシャル光７５ａとに分離される。ここで、被変調コアクシャル光７５ｂと原盤製造用参照光７６ｂとの光量比が１：１になるように半波長板４０を回転調整して光量比を調整し、調整後に半波長板４０の位置は固定されるものである。原盤製造用参照光７６ａとして分離された光ビームは、複製用原盤６０Ａにおける原盤製造用参照光７６ｂのサイズが適切なものとなるようにアパーチャー４４にてそのビーム径が調整される。そして、ミラー４５ａによって、原盤製造用参照光７６ｂの光路上に複製用原盤６０Ａが位置することがないように光路が変更されて複製用原盤６０Ａを迂回する。さらに、ミラー４５ａからの原盤製造用参照光７６ｂは、ミラー４５ｂによって、複製用原盤６０Ａの下方に配置されるプリズム６２ａに入射するようになされる。なお、上述の説明において、上方および上側の用語はＺ軸の正方向、下方および下側の用語はＺ軸の負方向を各々表すものである。
【００３５】
一方、空間光変調を受ける前の光ビームであるコアクシャル光７５ａは、偏光ビームスプリッタ３２ａを透過し、さらに、偏光ビームスプリッタ３２ｂを透過して空間光変調器３３ａに照射される。そして、空間光変調器３３ａに表示されるパターンに応じて変調を受けた被変調コアクシャル光７５ｂとしての光ビームを反射する。空間光変調器３３ａで反射することによって被変調コアクシャル光７５ｂは偏光面がπ／２変化したものとなり偏光ビームスプリッタ３２ｂで反射してそれ以降の光路へと導かれる。一方、偏光ビームスプリッタ３２ａを透過したコアクシャル光７５ａと、偏光ビームスプリッタ３２ａで反射した原盤製造用参照光７６ａとは位相がπ／２異なるものとなっているので、最終的には、被変調コアクシャル光７５ｂと原盤製造用参照光７６ｂとの偏光の方向とは一致したものとなり、良好なるホログラムが形成されることとなる。
【００３６】
ここで、空間光変調器３３ａは記録データに基づく信号光パターンを表示する信号光空間光変調部と参照光パターンを表示する参照光空間光変調部との２つの光ビームの反射領域を有しており、例えば、空間光変調器３３ａの外周部に中空のリング形状として参照光空間光変調部が、空間光変調器３３ａの内周部に円形の形状として信号光空間光変調部が、同軸状に形成されている。これらの反射領域で反射される光ビームは、同じ中心線を有して同軸状に配置される信号光および参照光からなる被変調コアクシャル光７５ｂとして、この中心線を被変調コアクシャル光７５ｂが通過する以下の各々の光学部品の光軸と一致させて、フーリエ変換レンズ３４、アイリス３５、フーリエ変換レンズ３６、対物レンズ３８、さらには収差を補正するダミーガラス６１ａを通過する。すなわち、被変調コアクシャル光７５ｂに含まれる信号光および参照光が、上述の種々の光学部品によって形成される光路を共通として複製用原盤６０Ａに入射する。
【００３７】
そして、被変調コアクシャル光７５ｂと被変調コアクシャル光７５ｂと同一の光源であるレーザ光源３０から出射された原盤製造用参照光７６ｂとは、複製用原盤６０Ａのフォトポリマーで形成された記録層６０ａ（図３を参照）において干渉する。そして、この干渉の態様に応じてモノマーがポリマーに変化して記録層６０ａの微小領域における屈折率が変化をして、屈折率パターンに応じた回折格子（ホログラム）が形成される。ここで、フーリエ変換レンズ３４はフーリエ像形成面を作り出すために、アイリス３５はそのフーリエ像形成面で余分な光を遮蔽するために、フーリエ変換レンズ３６は再び実像形成面を作り出すために、対物レンズ３８は信号光および参照光を記録層６０ａの所定領域に集光するために、ダミーガラス６１ａは後述する複製ホログラム記録媒体（図１３の複製ホログラム記録媒体８０Ａを参照）によって生じる収差を、複製用原盤の製造の時点で予め補正して、この複製用原盤を用いて製造される複製ホログラム記録媒体に正確にホログラムが複製できるようにするために、各々用いられる。この実施形態では、対物レンズ３８およびダミーガラス６１ａが集光手段の一実施形態として機能している。
【００３８】
また、図２では、原盤製造用参照光７６ｂを複製用原盤６０Ａの内周側（スピンドルモータ回転軸４８ａに近い側）から導き、複製用原盤６０Ａの外周側（スピンドルモータ回転軸４８ａに遠い側）に逃がす構造を採用しているが、ミラー４５ａおよびミラー４５ｂが配置される位置を図２に示すものとは変えて、原盤製造用参照光７６ｂを複製用原盤６０Ａの外周側から導き、複製用原盤６０Ａの内周側に逃がす構造を採用することもできる。この場合には、プリズム６２ａの配置方向も変えて、内周部の厚み（Ｚ軸方向の距離）が外周部の厚みよりも厚くなるようにされる。プリズムの形状と原盤製造用参照光７６ｂとの関係は、要するに、プリズムの有する角度αの作用によって原盤製造用参照光７６ｂが全反射することなく複製用原盤６０Ａに入射するようにすることが目的であるので、原盤製造用参照光７６ｂの入射方向に合わせて、プリズム６２ａの形状および配置の方向が定められるものである。
【００３９】
図３に示す部分拡大図に沿って被変調コアクシャル光７５ｂと原盤製造用参照光７６ｂとによってホログラムを複製用原盤６０Ａに形成する過程について、より詳細に説明する。図３においては、図２に示すと同一部分には同一の符号を付しており、同一の符号を付した部分についての説明は省略する。
【００４０】
被変調コアクシャル光７５ｂによってダミーガラス６１ａが発生する収差の大きは、ホログラムを複製する際の複製用参照光（例えば、図１３に示す複製用参照光８５）の複製ホログラム記録媒体（例えば、図１３に示す複製ホログラム記録媒体８０Ａ）によって発生する収差の影響を予め補正するようにして、正確なホログラムが複製ホログラム記録媒体の記録層に形成できるように選択されている。ダミーガラス６１ａは、例えば、ガラス材の厚みと屈折率とを調整して上述したような適切な収差を有するものとされている。ここで、複製ホログラム記録媒体の発生する収差の大きさが小さい場合には、ダミーガラス６１ａを設けることなく良好な複製特性を有する複製用原盤６０Ｂを製造することが可能である。また、対物レンズ３８およびダミーガラス６１ａに替えて、同等の収差特性を有する対物レンズを用いるようにしても良いものである。この場合には、このような、収差を補正した対物レンズ（例えば、図９に示す対物レンズ３９）が集光手段の一実施形態として機能することとなり、このような集光手段を備える場合には図４におけるダミーガラス６１ａが不要となり、光学部の構成を極めて簡単なものとできる。
【００４１】
ここで、複製用原盤６０Ａは、フォトポリマー等で形成された記録層６０ａを有するとともに、ガラス、ポリカーボネイト等で形成された保持基板６０ｂと保持基板６０ｃとを有し、保持基板６０ｂおよび保持基板６０ｃによって、記録層６０ａはその両側を挟まれている。保持基板６０ｂと保持基板６０ｃは、記録層６０ａを保持可能とし、被変調コアクシャル光７５ｂおよび原盤製造用参照光７６ｂを透過する性質を有するものであれば、ガラス、ポリカーボネイトに限定されるものではない。
【００４２】
プリズム６２ａの作用をより詳細に説明する。図３に示すように、原盤製造用参照光７６ｂは、複製用原盤６０Ａの保持基板６０ｂの表面（図３に示す保持基板６０ｂの上方の面）で全反射するような角度で入射されるが、このような全反射を生じさせる条件下で、原盤製造用参照光７６ｂを複製用原盤６０Ａの保持基板６０ｃの表面（図３に示す保持基板６０ｃの下方の面）から導くことはプリズム６２ａを用いない場合には困難である。換言すれば、複製用原盤６０Ａの保持基板６０ｃの表面では全反射をすることなく、複製用原盤６０Ａの保持基板６０ｂの表面で全反射させる目的を達するためにプリズム６２ａは用いられている。
【００４３】
図４は、入射角度と反射率の関係をＰ偏光の光ビーム（以下、Ｐ偏光波と称する）とＳ偏光の光ビーム（以下、Ｓ偏光波と称する）について示すものである（出典：村田和美著  サイエンスライブラリ物理学９  「光学」  株式会社サイエンス社  昭和５４年１０月２５日初版発行）。図４によれば、空気の屈折率を１とし、複製用原盤６０Ａの保持基板６０ｃの屈折率を１．５とする場合には、Ｐ偏光波は、角度Φｂで示される３３．７度で入射する場合に最も良好に入射し、臨界角Φｃで示される４１．８度以上の角度で入射する場合には、Ｓ偏光波、Ｐ偏光波のいずれも全反射をしてしまうことを表している。通常の反射、屈折ではＰ偏光波、Ｓ偏光波の違いにより反射率が大きく異なるが、全反射においてはこのような大きな差はない。このため、被変調コアクシャル光７５ｂと原盤製造用参照光７６ｂとはＰ偏光波同士、Ｓ偏光波同士のどちらでもいい。さらに、円偏光同士の場合、記録効率が劣るが本方式に使えないことはなく、この場合においても臨界角Φｃは略同様の４１．８度である。
【００４４】
本実施形態では、複製用原盤６０Ａの保持基板６０ｂの上方の面で全反射する条件を満たしながら、複製用原盤６０Ａの保持基板６０ｃの入射側の表面で原盤製造用参照光７６ｂが全反射することなく、良好に複製用原盤６０Ａに入射する条件を、プリズム６２ａの屈折率および角度αを調整して実現している。実施形態の一例として、保持基板６０ｂの屈折率は、１．５とし、保持基板６０ｃの屈折率は、１．５とし、プリズム６２ａの屈折率を１．５とし、角度αを３０度としたが、これらの諸定数は適宜に定め得るものである。例えば、プリズム６２ａの角度αに関しては以下の関係を有するものであれば良い。仮にプリズム６２ａがない場合には複製用原盤６０Ａに対してπ／２の入射角（保持基板６０ｃの表面と平行）で入射した原盤製造用参照光７６ｂの保持基板６０ｃに入射後の屈折角は臨界角Φｃと等しいものとなり、その値は４１．８°である。この臨界角を角度γとし、保持基板６０ｂでの反射角度を角度βとすると、プリズムの角度αは、角度α＞（角度β−角度γ）の関係が成立する範囲のものであれば良いものである。この様な関係を有する場合には、原盤製造用参照光７６ｂは、プリズム６２ａの表面および保持基板６０ｃの表面で反射することなく入射する。さらに効率良く光ビームを入射させるために、プリズム６２ａの入射面は無反射コーティングとすることが望ましい。
【００４５】
以上は理想状態であるが、理想状態ではない場合でも、プリズム６２ａを配することによって、保持基板６０ｂの上方の面で、理論的には全反射し、原盤製造用参照光７６ｂは、プリズム６２ａの表面および保持基板６０ｃの表面で極くわずかの反射を生じながら、原盤製造用参照光７６ｂのほとんどすべての光量をプリズム６２ａに入射させて光ビームを有効に活用することができるものである。
【００４６】
また、プリズム６２ａと保持基板６０ｃとの互いに対抗する面が密着しない場合には、再び、この両者の境界で全反射が生じる場合があるので、プリズム６２ａと保持基板６０ｃとの互いに対抗する面の各々の面加工精度を良好なものとして両面を近接させることが望ましい。また、両面の隙間にオイル６３を注入することがさらに望ましく、このオイル６３の屈折率は保持基板６０ｃの屈折率およびプリズム６２ａの屈折率に近いことが望ましい。このようにすることによって、原盤製造用参照光７６ｂは、効果的に全反射することなくプリズム６２ａの入射界面で屈折して入射して、オイル６３の層を通り、複製用原盤６０Ａの保持基板６０ｃに入射し、記録層６０ａを通過後、保持基板６０ｃで全反射する。つまり、オイル６３は、複製用原盤６０Ａの表面である保持基板６０ｃにプリズム６２ａを光学的に密着配置するために用いられる。
【００４７】
ここで、光学的に密着配置とは、保持基板６０ｃとプリズム６２ａとの物理的な配置を問題にせず、専ら光学的な観点から密着されているか否かを問題とするものである。保持基板６０ｃとプリズム６２ａとの界面で光学的な反射が生じないことを主要な観点とするものであるので、例えば、保持基板６０ｃとプリズム６２ａとの界面が理想的な平坦性を有して密着されている場合、保持基板６０ｃとプリズム６２ａとが一体形成されている場合、または、保持基板６０ｃとプリズム６２ａとの間にオイル等の光学的密着媒質が充填されている場合等におけるように、この界面で乱反射、全反射等が発生しないことを言うものである。したがって、物理的な観点から観て、保持基板６０ｃとプリズム６２ａとが分離しており、相対的に移動する場合であっても光学的に密着配置に該当する場合もあるものである。
【００４８】
実施形態において用いられているオイル６３は、光学的に密着配置をさせるために用いられる媒質である光学的密着媒質の一例である。保持基板６０ｃとプリズム６２ａとの界面に充填することができる光ビームを透過する媒質であれば、光学的密着媒質はオイル６３に限られるものではない。具体的には、この光学的密着媒質は流動性を有するものとして、保持基板６０ｃまたはプリズム６２ａの端面から流し込み、両者の界面を物理的に満たようにして光学的な密着配置の目的を達することができる。また、保持基板６０ｃとプリズム６２ａとが相対移動をする場合には、この移動によっても媒質が界面から流出して消失することなく、界面の光学的な密着が阻害されず、かつ、移動を妨げない程度の粘性を有することが望ましい。また、このような光学的密着媒質の屈折率の望ましい範囲は、光ビームの入射角度と、保持基板６０ｃ、プリズム６２ａを形成する各々の形成材料が有する屈折率に依存するものである。最も理想的なる屈折率の組み合わせは、保持基板６０ｃとプリズム６２ａとの各々の形成材料の屈折率が等しく、さらに、光学的密着媒質の屈折率がこれと一致することである。しかしながら、光学的密着媒質の屈折率が、保持基板６０ｃまたはプリズム６２ａの一方の形成材料の屈折率と等しいか、近い場合であっても良好なる光学的に密着配置の効果を生じるものである。また、光学的密着媒質、保持基板６０ｃおよびプリズム６２ａの三者の形成材料の相互の屈折率が近ければ、十分に光学的に密着配置の効果を生じるものである。このような光学的密着媒質としては、オイルが代表として挙げられるが、オイルに限られるものではない。
【００４９】
そして、この全反射した原盤製造用参照光７６ｂと被変調コアクシャル光７５ｂとは記録層５０ａの中で干渉し、ホログラムが形成されこのホログラムが屈折率の変化として記録される。そしてホログラムを形成後に、原盤製造用参照光７６ｂはプリズム６２ａの端面（図２、図３に示すプリズム６２ａの左の面）より出て行き、被変調コアクシャル光７５ｂは複製用原盤６０Ａの保持基板６０ｃの表面（図２、図３に示す下の面）より出て行く。
【００５０】
上述したようにして、ホログラムを記録する前の複製用原盤６０Ａの記録層６０ａには、ホログラムが形成され、複製用原盤６０Ｂが製造されることとなる。ここで、複製用原盤６０Ａの記録層６０ａの所定領域にホログラムが形成された後、複製用原盤６０Ａはスピンドルモータ４８によって回転され、また、記録層６０ａの別の領域にホログラムが形成される。さらに、コンセントリック形状（同心円状）にホログラムが形成される場合には複製用原盤６０Ａの一回転に渡りホログラムが形成された後には、スピンドルモータ４８の全体を移動させる移動台座４９をＹ軸方向に移動させることによって隣のトラックの領域にホログラムを形成する。このようにして、記録層６０ａのすべての領域にホログラムを形成した複製用原盤６０Ｂを製造することができる。また、スパイラル形状（螺旋状）にホログラムが形成される場合には複製用原盤６０Ａを回転させながら、移動台座４９をＹ軸方向に移動させ、複製用原盤６０Ｂを製造することができる。すなわち、光学部１００の一部として他の光学部品とともに基準台に固着されたダミーガラス６１ａとプリズム６２ａとの間に挟み込まれた複製用原盤６０Ａが移動しながらホログラムが形成されるのである。
【００５１】
より具体的には、図示しない制御部が、スピンドルモータ４８の制御をおこない、移動台アクチュエータ（図示しない）によって移動台座４９を移動させる制御をおこない、対物レンズアクチュエータ（図示しない）によって対物レンズ３８をＺ軸方向へ移動させる制御をおこなう。ここで、スピンドルモータ４８と移動台座４９とは同期して制御され、上述したように、コンセントリック状、または、スパイラル状にホログラムを順次形成する。一方、対物レンズ３８は、フィードバックループの作用によって、被変調コアクシャル光７５ｂが記録層６０ａの所定位置に集光するように制御される。
【００５２】
例えば、対物レンズ３８を制御するフィードバックループは以下のように作用する。記録層６０ａと保持基板６０ｃとの界面からの微小量反射する戻り光を検出し、この戻り光を、集光レンズ（図示せず）とかまぼこレンズ（図示せず）によって集光し、４分割フォトディテクタ（図示せず）の対角方向に発生する信号の減算からフォーカス信号を得るアスティグマ法を採用して、上述のフィードバックループは構成されている。このような制御技術は、背景技術に示したＣＤ−ＲＯＭ、ＤＶＤ−ＲＯＭのマスター盤を製造するに際しては、通常に用いられる技術である。この実施形態では、スピンドルモータ４８、移動台座４９、移動台アクチュエータおよび制御部がホログラム形成位置移動手段の一実施形態として機能している。
【００５３】
なお、本実施形態においては、複製用原盤６０Ａの記録層６０ａに記録するホログラムが重なり合う場合においては、このようにして製造された複製用原盤６０Ｂから製造された複製ホログラム記録媒体の再生するときにクロストークが発生して、再生信号のＳ／Ｎ（信号対雑音比）が劣化する場合がある。このような場合には、ミラー４５ａまたはミラー４５ｂの角度を変化させて原盤製造用参照光７６ｂのプリズム６２ａに入射する角度を予め異ならせて、複製ホログラム記録媒体からの再生信号のＳ／Ｎを良好なものとすることができる。
【００５４】
図５は、複製用原盤の別の実施形態の製造装置の主要部である光学部１１０を示すものである。光学部１１０と光学部１００との差異は、ダミーガラス６１ａに替えてダミーガラス６１ｂを用い、プリズム６２ａに替えてプリズム６２ｂを用いる点にある。光学部１００におけると同一の構成を有して、同一の作用を奏する構成部分には同一の符号を付して説明を省略する。
【００５５】
ここで、ダミーガラス６１ｂおよびプリズム６２ｂは、複製用原盤６０Ａを挟むように、装着用部材４７ａと装着用部材４７ｂとによって固着されており、ダミーガラス６１ｂおよびプリズム６２ｂは、複製用原盤６０Ａとともに、原盤製造用参照光７６ｂと被変調コアクシャル光７５ｂに対して移動する点に特徴がある。ダミーガラス６１ｂは、円盤形状とされて複製用原盤６０Ａに密着または近接して配置されている。
【００５６】
プリズム６２ｂは、複製用原盤６０Ａに密着して配置されており、上述したように、プリズム６２ｂと複製用原盤６０Ａとが密着される境界面における全反射を防止するためにオイル６３をこの境界面に注入することがより望ましいものである。プリズム６２ｂはスピンドルモータ回転軸４８ａを中心として回転するが、図５は、プリズム６２ｂの回転中心を通る線で切断した断面図を示すものであり、プリズム６２ｂの立体的な構造としては、中心部分が窪みを有するコーン形状とされている。
【００５７】
このような構成を採用する場合には、光学部１００に較べてダミーガラス６１ｂおよびプリズム６２ｂの大きさが大きくなるものの、ダミーガラス６１ｂおよびプリズム６２ｂと複製用原盤６０Ａとの密着度が高いので、それらの界面で全反射が生じるのを有効に防止できるという効果が生じる。
【００５８】
また、図５では、原盤製造用参照光７６ｂをプリズム６２ｂの内周側（スピンドルモータ回転軸４８ａに近い側）から導き、プリズム６２ｂの外周側（スピンドルモータ回転軸４８ａに遠い側）に逃がす構造を採用しているが、ミラー４５ａおよびミラー４５ｂが配置される位置を図５に示すものとは変えて、原盤製造用参照光７６ｂをプリズムの外周側（スピンドルモータ回転軸４８ａに遠い側）から導き、プリズムの内周側（スピンドルモータ回転軸４８ａに近い側）に逃がす構造を採用することもできる。この場合には、プリズムの形状はプリズム６２ｂとは異なり、中心部の厚みが外周部よりも厚くなるコーン形状とされる。プリズムの形状と原盤製造用参照光７６ｂとの関係は、要するに、原盤製造用参照光７６ｂに対してはプリズムの有する角度αの作用によって全反射することなく複製用原盤６０Ａに入射することが重要である。したがって、原盤製造用参照光７６ｂの入射方向に合わせてプリズムの形状は定まるものである。
【００５９】
さらに、また、複製用原盤６０Ａの保持基板６０ｃとプリズム６２ｂとを同一の部材で一体成型して、このような一体成形した部材を保持基板６０ｃに替えて配置した複製用原盤６０Ａを用いることによって、上述したオイル６３の使用は必要ではなくなる。すなわち、このような複製用原盤は、ホログラムが形成された記録層と、記録層を保持するために記録層の両面に各々配され、各々が円盤形状の保持基板と、を備えており、保持基板の一方は、円盤形状の中心点の厚みが最も厚くされ、または、薄くされたコーン形状に形成されてプリズムとして機能するものである。このような形態を有し、記録層にホログラムが未記録な状態の複製用原盤を図２に示すと同様な構成を有する製造装置によってホログラムを記録して、複製ホログラム記録媒体を製造するための複製用原盤とすれば、後述する実施形態の複製ホログラム記録媒体を製造する技術においては、別途、プリズムを用いる必要がないものである。
【００６０】
図６、図７を参照して、図２、図５に示す光学部を有する製造装置によって、複製用原盤６０Ｂに形成されたホログラムの形態について説明する。
【００６１】
図６は、複製用原盤６０Ｂの表面（図２、図５では、Ｘ軸とＹ軸とを含む面であるＸＹ面と平行な面に対応）の側から見たホログラム形成領域（図６では斜線を付した小さな丸）と原盤製造用参照光７６ｂ（図６では矢印で示す）との関係を示すものである。
【００６２】
図７の（Ａ）ないし（Ｄ）に示すのは、複製用原盤６０Ａの回転角度が異なる位置に記録されたホログラムと原盤製造用参照光７６ｂとの関係を示すものである。図２に示す光学部１００、図５に示す光学部１１０を有する製造装置においては、ページを単位とした複数個のホログラム形成領域を形成するに際しては、スピンドルモータ４８によって複製用原盤６０Ａを回転させるので、この回転に応じて、等価的に原盤製造用参照光７６ｂが回転したこととなる。すなわち、図７の（Ａ）は、ホログラムＨａを形成した直後の原盤製造用参照光７６ｂの入射方向を矢印で示すものである。また、図７の（Ｂ）は、複製用原盤６０Ａを矢印で示す回転方向に９０°回転後におけるホログラムＨａを形成した原盤製造用参照光７６ｂの等価的な入射方向を矢印で示し、さらに、ホログラムＨｂを形成した直後の原盤製造用参照光７６ｂの入射方向を矢印で示すものである。図７の（Ｃ）は、複製用原盤６０Ａを矢印で示す回転方向に１８０°回転後におけるホログラムＨａを形成した原盤製造用参照光７６ｂの等価的な入射方向を矢印で示し、ホログラムＨｂを形成した原盤製造用参照光７６ｂの等価的な入射方向を矢印で示し、さらに、ホログラムＨｃを形成した直後の原盤製造用参照光７６ｂの入射方向を矢印で示すものである。図７の（Ｄ）は、複製用原盤６０Ａを矢印で示す回転方向に２７０°回転後におけるホログラムＨａを形成した原盤製造用参照光７６ｂの等価的な入射方向を矢印で示し、ホログラムＨｂを形成した原盤製造用参照光７６ｂの等価的な入射方向を矢印で示し、ホログラムＨｃを形成した直後の原盤製造用参照光７６ｂの等価的な入射方向を矢印で示し、さらに、ホログラムＨｄを形成した直後の原盤製造用参照光７６ｂの入射方向を矢印で示すものである。
【００６３】
図７には図示しないが、複製用原盤６０Ａを矢印で示す回転方向に３６０°回転後におけるホログラムに対す原盤製造用参照光７６ｂの入射方向は、ホログラムＨａと同一となる。すなわち、回転中心から放射状に延びる直線上に形成されるホログラムでは、すべての原盤製造用参照光７６ｂの等価的な入射方向は同一である。このように、複製用原盤６０Ａの回転軸から延びる放射線に対応して原盤製造用参照光７６ｂの等価的な入射方向が配置されるようにして、すべてのホログラムが形成された複製用原盤６０Ｂを第１実施形態の複製用原盤と称するものである。原盤製造用参照光７６ｂの等価的な入射方向は、複製ホログラム記録媒体の製造をする場合において重要な概念であるが、これについては、後述する。
【００６４】
（第２実施形態の複製用原盤およびその製造技術について）
図８は、第２実施形態の複製用原盤の製造装置の主要部である光学部１２０を示すものである。光学部１２０を用いる場合には、上述した第１実施形態の複製用原盤とは異なる態様の複製用原盤の製造が可能となる。以下、図８および図９に沿って、第２実施形態の複製用原盤である複製用原盤６０Ｃおよびその製造技術について説明する。光学部１００および光学部１１０におけると同一の構成を有して、同一の作用を奏する構成部分には同一の符号を付して説明を省略する。
【００６５】
図８に示す光学部１２０の光学部１００および光学部１１０とは異なる点は、回転角度検出器５１ｃを有する光学部回転モータ５１が光学部１２０を構成する機構部品として追加されている点、スピンドルモータ４８が回転角度検出器４８ｃを有する点である。ここで、光学部回転モータ５１の光学部回転モータ固定部５１ｂは基準台に固着されている。また、被変調コアクシャル光７５ｂが通過する光学部材の光軸を中心として光学部の全体が回転させられるように、光学部材は光学部回転モータ回転軸５１ａに固着されている。すなわち、レーザ光源３０、半波長板４０、偏光ビームスプリッタ３２ａ、偏光ビームスプリッタ３２ｂ、空間光変調器３３ａ、フーリエ変換レンズ３４、アイリス３５、フーリエ変換レンズ３６、対物レンズ３８、ダミーガラス６１ａ、プリズム６２ａ、アパーチャー４４、ミラー１４５ａ、ミラー１４５ｂ、ミラー１４５ｃおよびミラー１４５ｄが一体として被変調コアクシャル光７５ｂの中心線である光学部材の光軸を回転中心として光学部回転モータ５１によって回転させられようになされている（図８においては符号Ｒ１で回転方向を示す）。ここで、ミラー１４５ｃおよびミラー１４５ｄはスピンドルモータ回転軸４８ａから十分に離間して配置され、光学部回転モータ５１の光学部回転モータ回転軸５１ａが３６０°回転する場合においても原盤製造用参照光７６ｂの進路は複製用原盤６０Ａによって妨げられることがないようにされている。
【００６６】
ミラー１４５ａ、ミラー１４５ｂ、ミラー１４５ｃおよびミラー１４５ｄの各々は、原盤製造用参照光７６ｂをプリズム６２ａに導くために設けられたものであり、ミラー１４５ａによって、一旦、Ｘ軸方向に原盤製造用参照光７６ｂの進行方向を変更して、被変調コアクシャル光７５ｂが通過する光路を形成する光学部材によって原盤製造用参照光７６ｂの進路が妨げられることがないように迂回して、さらに、ミラー１４５ｃおよびミラー１４５ｄによって複製用原盤６０Ａを迂回して複製用原盤６０Ａの外周部の下方から原盤製造用参照光７６ｂが入射するようになされている。このために、プリズム６２ａの配置方向が図２に示す光学系とは異なっている。なお、ミラー１４５ａ、ミラー１４５ｂ、ミラー１４５ｃおよびミラー１４５ｄは、上述したように他の光学部材と複製用原盤６０Ａによって光ビームの進行が妨害されることなく原盤製造用参照光７６ｂをプリズム６２ａに導くためのものであり、同様の機能を有するものであれば、その個数は４個に限らず、また、他の如何なる構成を採用しても良いものである。
【００６７】
図９を参照して、図８に示す光学部１２０を有する製造装置によって、製造された複製用原盤である複製用原盤６０Ｃに形成されるホログラムの形態について説明する。
【００６８】
図９は、複製用原盤６０Ａの表面（図８では、ＸＹ面と平行な面に対応）の側から見たホログラム形成領域と原盤製造用参照光７６ｂとの関係を示すものである。図８に示す光学部を有する製造装置においては、ページを単位として複数個のホログラム形成領域を形成するに際しては、スピンドルモータ４８によって複製用原盤６０Ａを回転（図８では回転方向を符号Ｒ２で示す）させるとともに、光学部回転モータ５１の光学部回転モータ回転軸５１ａを回転（図８では回転方向を符号Ｒ１で示す）させて、光学部１２０の全体を回転させる。すなわち、スピンドルモータ４８によって複製用原盤６０Ａが１回転するのに同期して、光学部回転モータ５１によって光学部１２０の全体が１回転させられる。
【００６９】
複製用原盤６０Ａと光学部１２０との同期した回転によって、図９の（Ａ）ないし図９の（Ｄ）に示すように原盤製造用参照光７６ｂの入射方向が変化してホログラムが形成されることとなり、この回転に応じて、等価的に原盤製造用参照光７６ｂが一方向から複製用原盤６０Ａに入射したこととなる。すなわち、図９の（Ａ）は、ホログラムＨａを形成した直後の原盤製造用参照光７６ｂの入射方向を矢印で示すものである。また、図９の（Ｂ）は、複製用原盤６０Ａを矢印で示す回転方向に９０°回転後におけるホログラムＨａを形成した原盤製造用参照光７６ｂの等価的な入射方向を矢印で示し、さらに、ホログラムＨｂを形成した直後の原盤製造用参照光７６ｂの入射方向を矢印で示すものである。図９の（Ｃ）は、複製用原盤６０Ｃを矢印で示す回転方向に１８０°回転後におけるホログラムＨａを形成した原盤製造用参照光７６ｂの等価的な入射方向を矢印で示し、ホログラムＨｂを形成した原盤製造用参照光７６ｂの等価的な入射方向を矢印で示し、さらに、ホログラムＨｃを形成した直後の原盤製造用参照光７６ｂの入射方向を矢印で示すものである。図９の（Ｄ）は、複製用原盤６０Ｃを矢印で示す回転方向に２７０°回転後におけるホログラムＨａを形成した原盤製造用参照光７６ｂの等価的な入射方向を矢印で示し、ホログラムＨｂを形成した原盤製造用参照光７６ｂの等価的な入射方向を矢印で示し、ホログラムＨｃを形成した直後の原盤製造用参照光７６ｂの等価的な入射方向を矢印で示し、さらに、ホログラムＨｄを形成した直後の原盤製造用参照光７６ｂの入射方向を矢印で示すものである。
【００７０】
図９には図示しないが、複製用原盤６０Ａを矢印で示す回転方向に３６０°回転後におけるホログラムに対す原盤製造用参照光７６ｂの入射方向は、ホログラムＨａと同一となる。すなわち、すべての原盤製造用参照光７６ｂの等価的な入射方向は同一である。このように、原盤製造用参照光７６ｂの等価的な入射方向が同一方向に配置される複製用原盤６０Ｃを第２実施形態の複製用原盤と称して以下、用いるものとする。
【００７１】
図８に示す、制御部５２は、スピンドルモータ４８によって複製用原盤６０Ａが１回転するのに同期して、光学部回転モータ５１の光学部回転モータ回転軸５１ａを回転させ、よって光学部１２０の全体を１回転させる制御をおこなう部分であり、制御部５２は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、Ｄ／Ａ変換器、Ａ／Ｄ変換器、電力増幅器（いずれも図示しない）を有するものである。
【００７２】
制御部５２における制御は以下のようになされる。スピンドルモータ４８の回転角度検出器４８ｃから検出される角度と、光学部回転モータ５１の回転角度検出器４８ｃから検出される角度とが等しくなるか、または、一定の角度差を有するように、光学部回転モータ５１の光学部回転モータ回転軸５１ａを回転させる。これによって、複製用原盤６０Ａの回転と光学部１２０の全体の回転との同期が維持される。このような同期の操作をおこないながら、複製用原盤６０Ａの記録層６０ａの所定領域にホログラムが形成された後、複製用原盤６０Ａはスピンドルモータ４８によって回転され、また、記録層の別の所定領域にホログラムが形成される。そして、コンセントリック状にトラックを形成する場合には、複製用原盤６０Ａの一回転に渡りホログラムが形成された後に、スピンドルモータ４８の全体を移動させる移動台座４９をＹ軸方向に移動させる、スパイラル状にトラックを形成する場合には、スピンドルモータ回転軸４８ａの回転とともに移動台座４９をＹ軸方向に移動させる。これによって、複製用原盤６０Ａの記録することが予定されているすべての領域にホログラムを記録して第２実施形態の複製用原盤である複製用原盤６０Ｃを製造することができる。
【００７３】
ここで、光学部１２０の全体を回転させるので、被変調コアクシャル光７５ｂも回転しており、複製用原盤６０Ａの回転に応じてホログラムの形状も回転することとなる。そして、このような回転によって複製ホログラム記録媒体に形成されるホログラムの形状も回転することとなる。一方、図１に示すような光学部１０を用いる一般的なホログラム記録再生装置によって記録されるホログラムの形状はこのように回転するものではない。したがって、光学部１２０によって複製用原盤６０Ｃを製造し、これによって、製造した複製ホログラム記録媒体と図１に示す光学部１０を用いて記録されたホログラム記録媒体との間で、いわゆる、再生互換性の問題が生じることとなる。
【００７４】
このような、再生互換性の問題を解決し、ホログラム記録媒体に形成されるホログラムが回転するという影響を排除するには、図１に示す光学部１０を有するホログラム記録再生装置によって複製ホログラム記録媒体から記録データに応じた信号を再生するに際して、２次元に格子状に細分化された微細なフォトディテクタの集合からなるイメージセンサ２９に発生する再生光による再生像を図１には図示しない再生回路によって処理して回転を戻したのと等価な電気信号を得て、回転が生じない場合にイメージセンサ２９に発生すべき像に対応する信号を再現し、しかる後に再生の処理をおこなうようにしても良い。
【００７５】
（第３実施形態の複製用原盤およびその製造技術について）
上述したようにして、イメージセンサ２９に発生する再生光による再生像を再生回路において回転する処理をおこない再生互換を確保する場合には、ホログラム記録再生装置における処理負担が大きい。複製ホログラム記録媒体と図１に示す光学部１０を有する記録再生装置によって記録されたホログラム記録媒体の再生互換性を確保するために、記録時における記録フォーマットを同一とするのが最も望ましいものである。このように、光学部１０を有する記録再生装置によって記録されたホログラム記録媒体と全く同じ記録フォーマットを有しながら、原盤製造用参照光７６ｂの等価的な入射方向が同一方向に配置される複製用原盤を第３実施形態の複製用原盤６０Ｄと称して以下では用い、このような複製用原盤６０Ｄを製造する技術について説明する。
【００７６】
複製用原盤６０Ｄは、図８に示す光学部１２０を用いて製造することができるが、制御部５２は以下のように空間光変調器３３ａを制御する。
【００７７】
制御部５２は、スピンドルモータ４８の回転角度検出器４８ｃから検出される角度に応じて、空間光変調器３３ａに表示される記録データに基づく信号光パターンを表示する信号光空間光変調部と参照光パターンを表示する参照光空間光変調部との両方のパターンを光軸の回りで回転させる。すなわち、スピンドルモータ４８が１回転する時間で、信号光空間光変調部に表示される信号光パターンと参照光空間光変調部に表示される参照光パターンとの各々は、光軸を中心として１回転するようにするものである。この処理は、制御部５２において、ＣＰＵが処理するデジタル演算処理によっておこなわれる。このようにして、複製ホログラム記録媒体の再生互換性の問題は解決される。
【００７８】
図１０は、複製用原盤６０Ｄを製造するためのさらに別の製造装置の要部である光学部１３０を示すものである。図１０において、光学部１００、光学部１１０および光学部１２０におけると同一の構成を有して、同一の作用を奏する構成部分には同一の符号を付し、この部分についての説明は省略する。図１０に示す光学部１３０と、図８に示す光学部１２０との差異は以下の点である。光学部１２０は、スピンドルモータ４８のスピンドルモータ回転軸４８ａの回転に同期して、その全体が回転する。一方、光学部１３０においては、被変調コアクシャル光７５ｂを発生して複製用原盤６０Ａに対して照射するための光学部品は、基準台に固定されている。そして、原盤製造用参照光７６ｂを発生して複製用原盤６０Ａに対して照射するための光学部品（図１０の太い破線で囲んだ部分の範囲内の光学部品）は、スピンドルモータ４８のスピンドルモータ回転軸４８ａの回転に同期して回転するようになされている。以下、図１０に沿って、光学部１３０の説明をする。
【００７９】
光学部１３０において、基準台に固定される光学部品（以下、固定部光学部品と称する）は、レーザ光源３０、半波長板４０、液晶等で形成された透過型の空間光変調器３３ｂ、フーリエ変換レンズ３４、アイリス３５、フーリエ変換レンズ３６および対物レンズ３８である。また、基準台に固定される機構部品は、光学部品の可動部分を回転させる可動光学部回転モータ７１の固定部７１ｂと、スピンドルモータ４８のスピンドルモータ固定部４８ｂである。これらの固定部光学部品の各々は相互に一体に固着されている。
【００８０】
光学部１３０において、被変調コアクシャル光７５ｂの光軸を中心として回転をする光学部品（以下、可動部光学部品と称する）は、偏光ビームスプリッタ３２ａ、ミラー１４５ａ、アパーチャー４４、ミラー１４５ｂ、プリズム６２ａである。これらの可動部光学部品の各々は相互に一体に固着され、図示しないベアリングを有する回転保持機構を用いて固定部光学部品の光軸、すなわち、被変調コアクシャル光７５ｂの光軸を中心にして滑らかに回転できるようになされている。そして、この可動部光学部品を回転する回転機構として、円盤形状のプーリ７３およびプーリ７４と、可動光学部回転モータ７１とが用いられる。プーリ７３の回転中心に可動光学部回転モータ７１の回転軸７１ａが固着され、プーリ７４の回転中心と固定部光学部品の光軸とが一致するようにプーリ７４と可動部光学部品とは固着されている。ここで、固定部光学部品が配置される固定側に可動部光学部品の回転角度を検出する可動部回転検出器７７が配されている。可動部回転検出器７７は、光ビームを出射してプーリ７４の表面に貼られた回転角度を表示する放射状のバーコードからの反射光を検出してプーリ７４の回転角度、すなわち、可動部光学部品の回転角度を検出するようになされている。
【００８１】
図１０に示す光学部１３０を採用する場合には、図８に示す光学部１２０を採用する場合に較べて、可動部光学部品の数を少なくすることができるとともに、固定部光学部品が形成する光路によって導かれる被変調コアクシャル光７５ｂは回転することがないので、複製用原盤６０Ｄを得るために図８に示す光学部１２０におけるようにスピンドルモータ４８の回転に応じて、信号光パターンおよび参照光パターンを回転させる処理は不要となる。
【００８２】
光学部１３０においては、図示しない制御部が以下のように作用して、スピンドルモータ４８と可動光学部回転モータ７１との回転の同期を得ている。制御部は、スピンドルモータ４８を駆動する。スピンドルモータ回転軸４８ａとともに複製用原盤６０Ａおよびダミーガラス６１ｂが回転するように装着用部材４７ａと装着用部材４７ｂとで両者を圧接している。そして、スピンドルモータ４８の回転角度検出器４８ｃからの信号を取り込む。そして、制御部は、この回転角度検出器４８ｃから検出する角度と可動部回転検出器７７から検出する角度とを比較して、この角度が一致するか、両者の角度差が一定の値となるように、可動光学部回転モータ７１を制御する。このような制御の処理は逐次おこなわれるので、固定部光学部品と可動部光学部品との間の角度とスピンドルモータ回転軸４８ａの回転角度とを同期させることができる。かくして、図９に示すような、原盤製造用参照光７６ｂの等価的な入射方向が同一方向に配置され、かつ、被変調コアクシャル光７５ｂは等価的に放射状に配置されて形成されるホログラムの記録態様を有するホログラムの複製用原盤６０Ｄを製造することができる。
【００８３】
（後処理について）
予定された範囲の記録層に上述するようにしてホログラムが記録された、第１実施形態のホログラムの複製用原盤６０Ｂ、第２実施形態のホログラムの複製用原盤６０Ｃおよび第３実施形態のホログラムの複製用原盤６０Ｄの各々は、複製用原盤として用いられるが、これらの複製用原盤の記録層６０ａにホログラムの未記録領域がある場合には、後述する複製ホログラム記録媒体の製造の過程において照射される光ビームの作用によって、さらに、このホログラムの複製用原盤６０Ｂ、ホログラムの複製用原盤６０Ｃおよびホログラムの複製用原盤６０Ｄにホログラムが形成される場合がある。このような事態が生じることは、製造開始の初期段階の複製ホログラム記録媒体と製造開始から時間が経過した段階の複製ホログラム記録媒体とに記録される内容が異なることになってしまい、複製用原盤としては好ましいことではない。
【００８４】
このような観点から、予定された範囲の記録層６０ａにホログラムが記録されたホログラムの複製用原盤６０Ｂないしホログラムの複製用原盤６０Ｄに干渉性の悪い光を照射させて後処理を行うことが望ましい。これはホログラムの複製用原盤６０Ｂないしホログラムの複製用原盤６０Ｄに残存したモノマーをポリマーに全て変えてしまう処理である。照射する光はメディアが感光する波長を有する光であり、記録したホログラムから回折光を出さないような干渉性の悪い光であれば良いものである。具体例としては、ホログラムの複製用原盤６０Ｂないしホログラムの複製用原盤６０Ｄに例えば散乱光を一括照射させれば良いものである。
【００８５】
（複製用原盤を用いた複製ホログラム記録媒体の製造技術について）
上述した複製用原盤を用いた複製ホログラム記録媒体の製造技術、すなわち、複製ホログラム記録媒体の製造装置および複製ホログラム記録媒体の製造方法としては種々のものが考えられるが、以下に代表的な実施形態を示す。以下の説明において、ホログラムが記録される前の未記録のホログラム記録媒体と、製造の過程にあるホログラム記録媒体（記録が予定されているすべての領域の一部の領域にのみホログラムが記録された段階のホログラム記録媒体）とに複製ホログラム記録媒体８０Ａの符号を付して以下の説明に用い、後述する各種の製造装置を用いて製造された（記録が予定されている全領域にホログラムが記録された）ホログラム記録媒体の各々に複製ホログラム記録媒体８０Ｂないし複製ホログラム記録媒体８０Ｅの符号を付して以下の説明に用いる。いずれの技術においても、複製用原盤は、記録層を透過した複製用参照光を再び記録層に対して反射するととともに、記録層からの回折光を透過する保持基板を有することを特徴としている。そして、複製ホログラム記録媒体の製造装置は、このような複製用原盤と複製ホログラム記録媒体との相対位置を所定配置とする位置決め手段と、複製用参照光を発生させるとともに、複製用原盤の記録層の所定領域に複製用参照光を照射する複製用参照光発生照射手段と、複製用参照光を複製用原盤の記録層に導くために複製用原盤の表面に光学的に密着配置されるプリズムと、を備えるものである。以下、具体的実施形態を説明する。
【００８６】
（複製用原盤６０Ｂから複製ホログラム記録媒体を製造する第１実施形態の製造技術について）
複製用原盤６０Ｂを用いた複製ホログラム記録媒体を製造する技術として、第１実施形態の製造装置およびこの製造装置を用いる第１実施形態の製造方法を示す。この製造装置および製造方法は、複製用原盤６０Ｂに光スポットを照射して、この光スポットを２次元の方向に走査することによって複製をおこなうものである。図１１に沿って第１実施形態の複製ホログラム記録媒体製造装置１４０の説明をおこなう。上述したように、第１実施形態の複製用原盤６０Ｂでは、図７に示すように、複製用原盤６０Ｂの中心（図１１に示すスピンドルモータ回転軸９８ａの回転中心と一致する）を基準として、放射状に原盤製造用参照光７６ｂが照射されてホログラムが形成されており、この方向は複製用原盤６０Ｂの半径方向の位置には依存せず内外周のいずれの位置であっても同様であるので、この点を考慮して、第１実施形態の複製ホログラム記録媒体製造装置１４０によって、複製用原盤６０Ｂの情報を複製した複製ホログラム記録媒体８０Ｂは製造される。
【００８７】
第１実施形態の複製ホログラム記録媒体製造装置１４０は、レーザ光源９０、ミラー９１ａ、プリズム６２ｃ、スピンドルモータ９８および複製用原盤６０Ｂを主要構成部分とするものである。レーザ光源９０は複製用参照光８５ａを出射する。複製用参照光８５ａは、複製用原盤６０Ｂを製造するに際して使用したレーザ光源３０から出射される原盤製造用参照光７６ｂの波長と略等しい波長を有するものとされている。プリズム６２ｃは、図３に示すプリズム６２ａと同一の構造を有するものである。プリズム６２ｃとミラー９１ａとは一定の位置関係と保ちながら、図１１の矢印で示す方向（Ｙ軸の正方向）に移動するように図示しないアクチュエータで駆動されるようになされている。スピンドルモータ９８はスピンドルモータ回転軸９８ａとともに回転する装着用部材９７ａおよび装着用部材９７ｂを有している。この装着用部材９７ａおよび装着用部材９７ｂによって複製ホログラム記録媒体８０Ａと複製用原盤６０Ｂとを圧着して両者をともにスピンドルモータ９８の回転力で回転させることができるようになされている。この実施形態では、装着用部材９７ａおよび装着用部材９７ｂは位置決め手段の一実施形態として機能する。また、図１２では、ミラー９１ａは、複製用原盤６０Ｂに照射されるスポット形状の複製用参照光の位置を複製用原盤６０Ｂの半径方向に変化させる光ビーム移動手段の一実施形態として機能するものであるが、光ビーム移動手段の他の例としては、ミラー９１ａを用いることなく、レーザ光源９０からの光ビームを直接に複製用原盤６０Ｂに照射するようにして、レーザ光源９０を移動させる構成としても良く、さらには、レーザ光源９０とミラー９１ａとを固定して、複製用原盤６０Ｂ、複製ホログラム記録媒体８０Ａ、プリズム６２ｃおよびスピンドルモータ９８を移動台に積載して移動させる構成としても良い。
【００８８】
図１２は、複製ホログラム記録媒体８０Ａの上側から見た透視図によって、光スポットとして形成された複製用参照光８５ａの移動を示すものである。ここで、複製用参照光８５ａは第１実施形態の複製用原盤６０Ｂを製造するに際して、図７に示すようにして用いられた原盤製造用参照光７６ｂと同一の入射方向から照射される。すなわち、複製用原盤６０Ｂの中心（図１１では、スピンドルモータ回転軸９８ａの回転中心）を基準として、放射状に、複製用参照光８５ａが移動して照射されて、ホログラムが順次形成されて複製ホログラム記録媒体８０Ｂが最終的に製造される。
【００８９】
より具体的には以下の手順で複製はおこなわれる。複製用原盤６０Ｂと複製ホログラム記録媒体８０Ａとをともに回転させるスピンドルモータ回転軸９８ａの回転は停止される。光ビームの進行方向に垂直な切断面における形状が略円形の形状とされた複製用参照光８５ａが、複製用原盤６０Ｂの内周から外周方向にミラー９１ａの移動に応じて移動する。スピンドルモータ回転軸９８ａは、複製用原盤６０Ｂと複製ホログラム記録媒体８０Ａとを回転（回転の方向は、図２では符合Ｒ２を付して矢印で示す）させた後に再び停止するが、このときの回転角度は、複製用原盤６０Ｂの最外周における移動距離が複製用参照光８５ａの断面の半径の長さ以内のものとされる。再び、複製用参照光８５ａが、複製用原盤６０Ｂの内周から外周方向にミラー９１ａの移動に応じて移動する。以上の手順を繰り返して、複製用原盤６０Ｂの複製が予定されている全領域のホログラムを複製した複製ホログラム記録媒体８０Ｂを最終的に得ることができる。
【００９０】
また、別の手順は、複製用原盤６０Ｂと複製ホログラム記録媒体８０Ａとをともに回転させるスピンドルモータ回転軸９８ａの回転を連続しておこない、一周（３６０°）複製用参照光８５ａを照射した後、スピンドルモータ回転軸９８ａの回転を停止する。複製用原盤６０Ｂの内周から外周方向に複製用参照光８５ａの断面の半径の長さ以内の距離だけミラー９１ａを移動する。再び、複製用原盤６０Ｂと複製ホログラム記録媒体８０Ａとをともに回転させるスピンドルモータ回転軸９８ａの回転を連続しておこない、一周（３６０°）複製用参照光８５ａを照射する。以上の手順を繰り返して、複製用原盤６０Ｂの複製が予定されている全領域のホログラムを複製した複製ホログラム記録媒体８０Ｂを最終的に得ることができる。
【００９１】
さらに、別の手順は、複製用原盤６０Ｂと複製ホログラム記録媒体８０Ａとをともに回転させるスピンドルモータ回転軸９８ａの回転を連続しておこなうとともに、ミラー９１ａを内周から外周に移動する。このとき、複製用原盤６０Ｂの複製が予定されている全領域に複製用参照光８５ａを照射できるような移動速度で、スピンドルモータ回転軸９８ａおよびミラー９１ａを移動させる。このようにして、複製用原盤６０Ｂの複製が予定されている全領域のホログラムを複製した複製ホログラム記録媒体８０Ｂを最終的に得ることができる。
【００９２】
上述したいずれの手順も、Ｙ軸方向への複製用参照光８５ａの移動（図１２で矢印に符号Ｙを付して移動方向を示す）は、ミラー９１ａを用い、回転角度方向への複製用参照光８５ａの移動（図１２で矢印に符号Ｒ２を付して移動方向を示す）は、スピンドルモータ９８を用いて、複製すべきすべての領域に複製用参照光８５ａを照射するものである。この実施形態では、レーザ光源９０は複製用参照光８５ａを発生させる機能を有し、スピンドルモータ９８、ミラー９１ａおよびミラー９１ａを移動させるアクチュエータは、複製用原盤６０Ｂの所定領域に複製用参照光８５ａを照射させる機能を有して、いずれもが、複製用参照光発生手段の一部として構成されている。
【００９３】
図１３は、複製用参照光８５ａが入射する付近を表す図１１の部分拡大図である。複製用原盤６０Ｂの保持基板６０ｃとプリズム６２ｃのこれと対抗する面とは密着されており、この両面の境界で、複製用参照光８５ａが全反射することがないようにされている。また、この両面の間に全反射を防止するためのオイル６３を注入することによって、光学的に密着配置されるようにして、さらに、効果的に全反射を防止することができる。
【００９４】
このようにして、保持基板６０ｃに入射した複製用参照光８５ａは、ホログラムが記録された、記録層６０ａを透過して保持基板６０ｂで全反射をする。そして、複製用参照光８５ａが記録層６０ａを透過する際に、すでに記録層６０ａ形成されているホログラムの形状に応じた回折光８６が発生し、この回折光８６よって複製ホログラム記録媒体８０Ａの記録層８０ａにホログラムが形成される。図１３の実線で示す回折光８６は、ひとつのホログラム形成領域からの回折光８６のみを模式的に記載しているが、複製用参照光８５ａが照射される記録層６０ａの記録部分のすべてから回折光は発生するものである。この回折光は、コアクシャル方式では、信号光と参照光の両方に対応したものである。このようにして、回折光８６は複製ホログラム記録媒体８０Ａに達する。一方、複製用参照光８５ａは保持基板６０ｂの界面で全反射して複製ホログラム記録媒体８０Ａには到達しない。
【００９５】
未記録の複製ホログラム記録媒体８０Ａの保持基板８０ｃが、複製用原盤６０Ｂの保持基板６０ｂに密接または近接して配置されている。ここで、複製ホログラム記録媒体８０Ａは、上述した保持基板８０ｃと保持基板８０ｂとによって記録層８０ａが保持される構造となされている。記録層８０ａは、例えば、フォトポリマーで形成される層であり、保持基板８０ｃと保持基板８０ｂとの各々は、例えば、ガラス、ポリカーボネイト等の光ビームを透過する材料を形成材料としており、後述する回折光８６を透過するようになされている。このような構造を有するので、回折光８６を含む回折光によって記録層８０ａにホログラムが形成される。
【００９６】
ここで、複製用参照光８５ａが記録層６０ａを透過する際に発生する回折光は、複製用参照光８５ａが行きのとき（保持基板６０ｃ側から入射するとき）と、複製用参照光８５ａが保持基板６０ｂの上方の面で反射した後の帰りのときとの双方で発生し得る。もし一方からの複製用参照光８５ａによって発生する回折光によってのみ複製ホログラム記録媒体８０Ａの記録層８０ａにホログラムを形成する場合は、複製用参照光８５ａの波長と原盤製造用参照光７６ｂの波長とをわずかに異ならせれば良いものである。複製用参照光８５ａが行きのときは、いわゆる、反射型ホログラムとしての作用によって回折光が生じるので、回折効率の波長依存性が急峻であり、複製用参照光８５ａの波長と原盤製造用参照光７６ｂの波長とが僅かにずれただけで、回折光の発生が少なくなり、複製用参照光８５ａが帰りのとき生じる回折光によって主として記録層８０ａにホログラムが形成される。このような一方の回折光によって記録層８０ａに形成されるホログラムは２つの回折光、つまり反射型ホログラムによる回折光と透過型ホログラムによる回折光の縮退がおきていない。このために、このような、複製用参照光８５ａの波長と原盤製造用参照光７６ｂの波長とをわずかに異ならせる複製方法を採用して製造をおこなうことにより、製造時における温度を厳密に管理しなくとも良好なるＳ／Ｎ（信号対雑音比）を有する複製ホログラム記録媒体を製造することができるという効果を有するものである。
【００９７】
第１実施形態の複製ホログラム記録媒体製造装置１４０を用いれば、複製用原盤６０Ｂに複製用参照光８５ａを導入することができるので、複製ホログラム記録媒体８０Ａの記録層８０ａにホログラムを形成することが容易にできる。そして、プリズム６２ｃの作用によって複製用参照光８５ａが複製用原盤６０Ｂの入射側の保持基板６０ｃの表面で反射することなく有効に導入されるので、複製用原盤６０Ｂの回転の速度を速くする場合でもレーザ光源９０から出射する光ビームの強度は小さいものとできる。この結果、背景技術において採用するような大口径の高価な対物レンズを用いることなく複製用原盤６０Ｂの回転の速度を速くして、複製ホログラム記録媒体８０Ｂを複製する速度を向上することができる。ここで、複製ホログラム記録媒体製造装置１４０ではプリズム６２ｃをミラー９１ａと連動して移動させることとしたので、プリズム６２ｃのサイズを小さくして装置のコストを廉価なものとできる。
【００９８】
また、図示しないが、プリズム６２ｃのサイズを大きくして複製ホログラム記録媒体８０Ｂの全面を覆う中心が窪んだコーン形状とする場合には、ミラー９１ａと連動してプリズムを移動させる必要がないようにできる。
【００９９】
（複製用原盤６０Ｂから複製ホログラム記録媒体を製造する第２実施形態の製造技術について）
複製用原盤６０Ｂを用いた複製ホログラム記録媒体を製造する技術として、第２実施形態の製造装置およびこの製造装置を用いる第２実施形態の製造方法を示す。この製造装置および製造方法は、複製用原盤６０Ｂに光の帯を照射して、この光の帯を１次元方向に走査することによって複製をおこなうものである。この場合の１次元方向への走査は複製用原盤６０Ｂを回転することによっておこなわれる。図１４に沿って第２実施形態の複製ホログラム記録媒体製造装置１５０の説明をおこなう。
【０１００】
図１４に示す第２実施形態の複製ホログラム記録媒体製造装置１５０は、レーザ光源９０、アナモプリズム９２ａ、アナモプリズム９２ｂ、ミラー９１ｂ、スピンドルモータ９８、プリズム６２ｄおよび複製用原盤６０Ｂを主要構成部分とするものである。レーザ光源９０、アナモプリズム９２ａ、アナモプリズム９２ｂ、ミラー９１ｂ、スピンドルモータ９８の固定部およびプリズム６２ｄはいずれも基準台に固着されている。形状が帯状に整形された複製用参照光８５ｂは、レーザ光源９０からの光ビームをアナモプリズム９２ａおよびアナモプリズム９２ｂによって整形して得ることができる。ここで、アナモプリズム９２ａおよびアナモプリズム９２ｂの２個のアナモプリズムを使用したのは、帯状の複製用参照光８５ａの長手方向の長さを複製用原盤６０Ｂの半径の長さと略等しくして、複製用原盤６０Ｂの中心から延びる放射線の方向には複製用参照光８５ａを走査する必要がない様にするためである。したがって、複製用参照光８５ａの長手方向の長さがアナモプリズム９２ａのみによって十分な長さとできる場合には、アナモプリズム９２ｂは必要とされない。
【０１０１】
ここで、複製用原盤６０Ｂとプリズム６２ｄとは、複製用原盤６０Ｂの回転によって相対移動するものとされ、プリズム６２ｄの形状は、くさび形の形状とされ、紙面の表面から裏面へ延びる方向への厚み（紙面の上下方向の長さ）は同一で、紙面の表面から裏面方向へ延びる幅は、複製用参照光８５ａの短手方向の長さ以上であって比較的に狭いものとされている。また、図示はされていないが、オイル６３を複製用原盤６０Ｂとプリズム６２ｄの界面に充填して、光学的な密接配置を図ることがより望ましい。また、複製用参照光８５ａの波長は、原盤製造用参照光７６ｂの波長と略等しい波長を有するものとされている。
【０１０２】
プリズム６２ｄは、上述した形態の他、図示しないが、複製用原盤６０Ｂの全面を覆う構造としても良く、この場合には、図５に示すプリズム６２ｂと同一の構造である中心が窪んだコーン状の形状を有するものとされる。この場合には、装着用部材９７ａおよび装着用部材９７ｂに圧着されて挟まれて位置決めがなされた、複製ホログラム記録媒体８０Ａと複製用原盤６０Ｂおよびプリズム６２ｂ（図１４には図示しない、図５を参照）の各々は、スピンドルモータ９８のスピンドルモータ回転軸９８ａとともに回転させることができるようになされている。この場合には、複製用原盤６０Ｂとプリズム６２ｂとの各々の対抗する面の光学的な密接度は、複製用原盤６０Ｂとプリズム６２ｂとが相対的に移動する場合に較べてより良好なるものとすることができる。さらには、保持基板６０ｃとプリズム６２ｂを一体とした図示しない複製用原盤を用いる場合には光学的な密接の度合いが最良のものとできる。
【０１０３】
図１５は、複製ホログラム記録媒体８０Ａの上側から見た透視図によって、複製ホログラム記録媒体８０Ａと光の帯として形成された複製用参照光８５ｂとの関係を示すものである。ここで、複製用参照光８５ｂは複製用原盤６０Ｂを製造するに際して、図７に示すようにして用いられた原盤製造用参照光７６ｂと同一の入射方向から照射される。すなわち、複製用原盤６０Ｂの中心（図１１では、スピンドルモータ回転軸９８ａの回転中心）を基準として、放射状に、複製用参照光８５ｂが照射されて、複製用原盤６０Ｂおよび複製ホログラム記録媒体８０Ａの回転にともなってホログラムが順次形成されて記録済みの複製ホログラム記録媒体８０Ｂが最終的に製造される。すなわち、スピンドルモータ回転軸９８ａの回転にともなって複製ホログラム記録媒体８０Ａを回転角度方向に移動（図１５で矢印に符号Ｒ２を付して示す）させて、複製用参照光８５ｂを１次元に走査している。
【０１０４】
より具体的には以下の手順で複製はおこなわれる。スピンドルモータ回転軸９８ａの回転によって複製用原盤６０Ｂと複製ホログラム記録媒体８０Ａとをともに回転させる。このとき、ミラー９１ｂで反射された帯状の複製用参照光８５ｂが、複製用原盤６０Ｂの内周から外周を同時に照射する。このようにして、複製用原盤６０Ｂの複製が予定されている全領域のホログラムを複製した複製ホログラム記録媒体８０Ｂを最終的に得ることができる。この実施形態では、レーザ光源９０は複製用参照光８５ａを発生させる機能を有し、スピンドルモータ９８、プリズム６２ｄ、アナモプリズム９２ａ、アナモプリズム９２ｂおよびミラー９１ｂは、複製用原盤６０Ｂの所定領域に複製用参照光８５ａを照射させる機能を有して、いずれもが、複製用参照光発生手段の一部として構成されている。
【０１０５】
このような複製ホログラム記録媒体製造装置１５０を用いることによって、スピンドルモータ回転軸９８ａを一回転させることによって簡便で、かつ、高速に複製ホログラム記録媒体８０Ｂを得ることができる。
【０１０６】
（複製用原盤６０Ｃおよび複製用原盤６０Ｄから複製ホログラム記録媒体を製造する第３実施形態の製造技術について）
複製用原盤６０Ｃおよび複製用原盤６０Ｄを用いた複製ホログラム記録媒体を製造する技術として、第３実施形態の複製ホログラム記録媒体製造装置１６０およびこの製造装置を用いる第３実施形態の製造方法を示す。この製造装置および製造方法は、複製用原盤６０Ｃまたは複製用原盤６０Ｄの全体を覆う範囲の光ビームを一度に照射して、光ビームを走査することなく、ホログラムが記録されたホログラム記録媒体を得ることができるものである。
【０１０７】
図１６に第３実施形態の複製ホログラム記録媒体製造装置１６０を示す。第３実施形態の複製ホログラム記録媒体製造装置１６０は、レーザ光源９０、アナモプリズム９２ａ、アナモプリズム９２ｂ、アナモプリズム９２ｃ、アナモプリズム９２ｄ、ミラー９１ｃ、プリズム６２ｅおよび複製用原盤６０Ｃまたは複製用原盤６０Ｄ（図１６では代表して複製用原盤６０Ｃを示している）を主要構成部分とするものである。上述した構成部分は、いずれも、基準台に固着されている。レーザ光源９０からの光ビームは、アナモプリズム９２ａおよびアナモプリズム９２ｂによって、図１６に示すＹ軸とＺ軸を含む面で光ビームの幅が拡大される。また、アナモプリズム９２ｃおよびアナモプリズム９２ｄによって、図１６に示すＸ軸とＹ軸を含む面で光ビームの幅が拡大され、その結果、Ｘ軸、Ｚ軸の断面における形状が円形または楕円形となる複製用参照光が複製用参照光８５ｃとして得られる。ここで、アナモプリズム９２ａないしアナモプリズム９２ｄの４個のアナモプリズムを使用したのは、複製用参照光８５ｃが複製用原盤６０Ｃまたは複製用原盤６０Ｄの全面を照射できるようにするためである。したがって、複製用参照光８５ｃが照射される複製用原盤６０Ｃまたは複製用原盤６０Ｄの面積の大きさが小さい場合にはアナモプリズム９２ａとアナモプリズム９２ｃとによって、複製用参照光８５ｃの十分な照射面積を確保することができる。
【０１０８】
複製用参照光８５ｃの波長は、原盤製造用参照光７６ｂの波長と略等しい波長を有するものとされている。プリズム６２ｅは、複製用原盤６０Ｃまたは複製用原盤６０Ｄの全面を覆う構造とされ、図１６に示すように、複製用参照光８５ｃの進行する方向であるＹ軸の方向にはプリズム６２ｅの厚み（Ｚ軸方向の距離）が変化するが、Ｘ軸方向にはプリズム６２ｅの厚み（Ｚ軸方向の距離）が変化しないものとされている。
【０１０９】
図１７は、複製ホログラム記録媒体８０Ａの上側から見た透視図によって、複製ホログラム記録媒体８０Ａと２次元に拡げられた複製用参照光８５ｃとの関係を示すものである。ここで、複製用参照光８５ｃは複製用原盤６０Ｃまたは複製用原盤６０Ｄを製造するに際して、図９の（Ｄ）に示すようにして、矢印で示される原盤製造用参照光と同一の入射方向から照射される。すなわち、複製用参照光８５ｃが照射されることによって、複製用原盤６０Ｃを用いた場合に複製ホログラム記録媒体８０Ｃが製造され、複製用原盤６０Ｄを用いた場合に複製ホログラム記録媒体８０Ｄが製造される。この実施形態では、レーザ光源９０は複製用参照光８５ａを発生させる機能を有し、ミラー９１ｃ、アナモプリズム９２ａ、アナモプリズム９２ｂ、アナモプリズム９２ｃ、アナモプリズム９２ｄの各々は、複製用原盤６０Ｂの所定領域に複製用参照光８５ａを照射させる機能を有して、いずれもが、複製用参照光発生手段の一部として構成されている。
【０１１０】
このような複製ホログラム記録媒体製造装置１６０を用いることによって、複製ホログラム記録媒体８０Ａを複製用原盤６０Ｃまたは複製用原盤６０Ｄに近接して配置し、プリズム６２ｅを介して複製用参照光８５ｃを照射することによって瞬時に複製ホログラム記録媒体８０Ｃまたは複製ホログラム記録媒体８０Ｄを得ることができる。
【０１１１】
また、このような複製ホログラム記録媒体製造装置１６０では、図示しない移送装置を用いて複数の複製ホログラム記録媒体８０Ａを連続して移動させ、図１６で示すように、順次、複製用原盤６０Ｃまたは複製用原盤６０Ｄの上側で移動を停止し、複製用参照光８５ｃを照射することによって、ホログラムが形成された複製ホログラム記録媒体８０Ｃまたは複製ホログラム記録媒体８０Ｄを連続的に得ることができる。このようなバッチ処理において、複製用原盤６０Ｃまたは複製用原盤６０Ｄの上側で移動を停止する機構は図示してはいないが、種々の製造物の製造工程では通常に使用されるものである。例えば、リフトで複製ホログラム記録媒体８０Ａを持ち上げ、移動させ、図示しない光センサで複製ホログラム記録媒体８０Ａが複製用原盤６０Ｃまたは複製用原盤６０Ｄの上に位置したことを検出した段階でリフトを下げて、複製ホログラム記録媒体８０Ａと複製用原盤６０Ｃまたは複製用原盤６０Ｄとの相対位置を所定の位置とするものであり、位置決め手段の一実施形態として機能するものである。
【０１１２】
第１実施形態ないし第３実施形態の製造装置、第１実施形態ないし第３実施形態の製造方法によって製造された複製ホログラム記録媒体８０Ｂないし複製ホログラム記録媒体８０Ｄの各々は、複製ホログラム記録媒体として多量に複製して、頒布することができる。この場合に、複製ホログラム記録媒体の特定の領域をホログラムの未記録領域として残しておけば、このような複製ホログラム記録媒体を入手した者は、必要な記録データを、この未記録領域に書き込む（追記をする）ことが可能となる。
【０１１３】
また、第１実施形態ないし第３実施形態の製造装置、第１実施形態ないし第３実施形態の製造方法によって製造された複製ホログラム記録媒体８０Ｂないし複製ホログラム記録媒体８０Ｄに追記をしない場合には、ホログラム記録媒体に干渉性の悪い光を照射させて後処理を行うことが望ましい。これは複製ホログラム記録媒体に残存したモノマーをポリマーに全て変えてしまう処理である。照射する光はメディアが感光する波長を有し、かつ干渉性の悪い光であれば良く、例えば、ＬＥＤ光を一括照射すれば良いものである。これによって、複製ホログラム記録媒体に追記をすることができないものとできる。
【０１１４】
上述した第１実施形態ないし第３実施形態の製造装置を用いて製造された複製ホログラム記録媒体は、透過型のホログラム記録媒体とされており、参照光をホログラム記録媒体に照射して、複製ホログラム記録媒体８０Ｂを透過する参照光と同じ側に発生する回折光から記録されたホログラムに応じた記録データを再生するものである。図１に示す光学部１０を有する記録再生装置によって再生が可能なホログラム記録媒体とする場合には、さらに、反射膜を保持基板６０ｂに接して形成してホログラム記録媒体は完成することとなる。ここで、反射膜は、例えば、スパッタリングによって形成することができる。この反射膜は、保持基板６０ｃの側から再生のための参照光を照射して、ホログラム記録媒体に記録された信号を読み取るためのものである。
【０１１５】
上述したようにして得られた複製ホログラム記録媒体８０Ｂに反射膜を有する複製ホログラム記録媒体は、図１に示す光学部１０を有するホログラム再生装置の通常の再生方法で、容易に再生ができるものである。また、上述したようにして得られた複製ホログラム記録媒体８０Ｃに反射膜を有する複製ホログラム記録媒体は、図１に示す光学部１０を有するホログラム再生装置において、上述したようにイメージセンサ２９で得られる再生像を回転する再生方法で再生ができるものである。また、複製ホログラム記録媒体８０Ｄに反射膜を有する複製ホログラム記録媒体は、図１に示す光学部１０を有するホログラム再生装置において、通常の再生方法で、容易に再生ができるものである。
【０１１６】
（複製用原盤および複製ホログラム記録媒体の製造方法の実施形態の変形例）
上述した実施形態の種々の変形の実施形態を以下に説明する。
【０１１７】
図１８に示すのは、図２の部分拡大図であるが、被変調コアクシャル光７５ｂの集光の位置が異なる例である。上述の実施形態では被変調コアクシャル光７５ｂがいったん集光された後に複製用原盤６０Ａの記録層６０ａを照射したが、図１８では被変調コアクシャル光７５ｂが集光される前に記録層６０ａを照射するようになされている。また、ダミーガラスを用いることなく対物レンズ３９によって収差の補正をおこなっているが、これに替えて対物レンズとダミーガラスと（例えば、図３の対物レンズ３８とダミーガラス６１ａとを参照）を用いるものとしても良い。この場合において、図３と対比すると明らかなように、複製用原盤６０Ａが図３とは逆向きに配置され、保持基板６０ｂの側が、プリズム６２ａの側に配置され、保持基板６０ｃの側が対物レンズ３９の側に配置されている。また、オイル６３を採用することによって、光学的な密着配置を確実なものとして、全反射を効果的に抑えることができる。このように被変調コアクシャル光７５ｂの集光の位置を異ならせて製造された複製用原盤は、複製用原盤６０Ｂないし複製用原盤６０Ｄと同様なホログラム形状を有している。ここで、集光点を変化させる方法は、上述したアスティグマ法を採用する場合には、フィードバックループによる制御系の目標値（オフセット）を調整することによって自由におこなえるものである。このような複製用原盤６０Ｂないし複製用原盤６０Ｃから複製ホログラム記録媒体を製造する製造装置および製造方法は、上述した実施形態のいずれの技術を用いることによっても可能である。
【０１１８】
図１９は、図２と略同様の光学部を用いるものの、ミラー４５ｂを用いることなく、ミラー４５ａからの原盤製造用参照光７６ｂを複製用原盤６０Ａの上方から照射する例である。複製用原盤６０Ａの保持基板６０ｂに近接してプリズム６５を、保持基板６０ｃに近接してプリズム６２ａを、各々設置するものである。各々の保持基板とプリズムとの隙間には、光学的な密着配置を図るためにオイル６３を充填することがより望ましい。プリズム６５は原盤製造用参照光７６ｂを複製用原盤６０Ａの保持基板６０ｂに導き入れるためのもので、被変調コアクシャル光７５ｂの進行を妨害しないような位置にプリズム６５は配置されている。また、プリズム６２ａは、原盤製造用参照光７６ｂを複製用原盤６０Ａから抜けさせるためのものである。このプリズム６２ａがない場合には、図１９の上方からの原盤製造用参照光７６ｂは、保持基板６０ｃで全反射して抜け出ることが困難となる。抜け出せない場合には、原盤製造用参照光７６ｂは複製用原盤６０Ａの上下界面で多重反射し、モノマーを浪費することとなるものである。
【０１１９】
プリズム６２ａとプリズム６５とを備えない場合であっても、原盤製造用参照光７６ｂは、保持基板６０ｂと保持基板６０ｃとを透過することが可能である。しかしながら、保持基板６０ｂと保持基板６０ｃとで反射しないように、原盤製造用参照光７６ｂの保持基板６０ｂへの入射角度は、保持基板６０ｂの面に対して、垂直により近い角度でなければならず、例えば、保持基板６０ｂの屈折率が１．５である場合には、保持基板６０ｂの表面からの垂線に対して４１．８°以内の角度でなければ、保持基板６０ｂの表面で全反射を生じてしまう。一方、プリズム６２ａとプリズム６５とを備える場合には、この原盤製造用参照光７６ｂの入射の角度は、４１．８°以上であっても全反射を生じることなく、効果的に保持基板６０ｂに入射するものである。
【０１２０】
また、被変調コアクシャル光７５ｂの焦点位置と複製用原盤６０Ａの上下の配置（保持基板６０ｂまたは保持基板６０ｃいずれを被変調コアクシャル光７５ｂの入射の側とするかの配置）との関係は、結果物として得られる複製ホログラム記録媒体に形成されるホログラムの態様が、上述した複製ホログラム記録媒体８０Ｂないし複製ホログラム記録媒体８０Ｄを得られる組み合わせであれば、図１９に示す組み合わせに限られるものではない。このように、複製用原盤６０Ａの上面にもプリズム６５を配置する場合には、原盤製造用参照光７６ｂを被変調コアクシャル光７５ｂと同様に複製用原盤６０Ａの上方から導くことができるので、原盤製造用参照光７６ｂの光路をより簡単にして製造設備の低価格化および原盤製造用参照光７６ｂの位置合わせを容易にして信頼性の向上を図ることができる。
【０１２１】
図２０は、被変調コアクシャル光の集光の位置が図３および図１８に示すものと異なる場合のホログラム形成領域の部分拡大図である。図１８に示すと同様の複製用原盤６０Ａとプリズム６２ａとの配置関係を採用しながらも、被変調コアクシャル光７５ｂの集光点を複製用原盤６０Ａからより遠くなるように設定している。このような設定は、アスティグマ法を採用する場合には、フィードバックループによる制御系の目標値（オフセット）を調整することによっておこなえる。このような被変調コアクシャル光７５ｂの集光の態様により形成された複製用原盤６０Ｅを用いる場合には、複製ホログラム記録媒体の製造の技術は、上述したものを採用することもできるが、上述したものと異ならせることもできる。
【０１２２】
図２１は、被変調コアクシャル光の集光の位置が図３、図１８および図２０に示すものと異なる場合のホログラム形成領域の部分拡大図である。上述した複製ホログラム記録媒体のいずれの製造方法とも異なる、複製用原盤６０Ｅを用いる複製ホログラム記録媒体の製造方法を示すものである。ここで、複製ホログラム記録媒体８０Ｅの保持基板８０ｂの側と複製用原盤６０Ｅの保持基板６０ｂの側が対抗するように配置されている。ホログラムが形成される前の複製ホログラム記録媒体８０Ｅには、記録層８０ａ、保持基板８０ｂ、保持基板８０ｃに加えて、反射層８０ｄが最初から設けられている。保持基板８０ｂの厚さは例えば０．５ｍｍ、保持基板８０ｃの厚みは例えば０．１ｍｍが採用されている。被変調コアクシャル光７５ｂの集光点を複製用原盤からより遠くなるように設定して、複製用原盤６０Ｅにはホログラムが形成されているので、例えば、複製用参照光８５ａを用いて複製をおこなった場合に生じる回折光８６によって形成されるホログラムは、厚みの大きい保持基板８０ｂの奥の記録層８０ａに良好に形成されることとなる。このような、複製ホログラム記録媒体の製造方法を採用すれば、複製ホログラム記録媒体としては、予め反射層８０ｄを備えておくことができるので、ホログラムの複製後に反射層８０ｄを成形する場合に製造歩留まりが低下する場合が多いが、このようなことがない利点を有する。
【０１２３】
図２１に示した複製ホログラム記録媒体の複製方法は、２次元に走査される複製用参照光８５ａを用いる場合の例であるが、１次元に走査される複製用参照光８５ｂを用いる場合、一括照射される複製用参照光８５ｃを用いる場合のいずれの手法も採用が可能であり、モノマーをポリマーとする後処理の技術についても上述した技術の採用が可能である。
【０１２４】
（複製用原盤の形状、複製ホログラム記録媒体の形状の変形例）
上述した複製用原盤の形状、複製ホログラム記録媒体の形状は、いずれも円盤状とした場合について説明をおこなってきたが、複製用原盤の形状、複製ホログラム記録媒体の形状はカード形状（長方形または正方形）であっても良い。この場合にも、上述したと同様の原理を用いて複製用原盤、複製ホログラム記録媒体の製造をおこなうことができ、さらに、上述したと同様の原理を用いた複製用原盤の製造装置、複製ホログラム記録媒体の製造装置を提供することができる。
【０１２５】
すなわち、複製用原盤の製造においては、円盤形状では、タンジェンシャル方向（周方向）およびラジアル方向（半径方向）への光スポットの移動によって複製用原盤の２次元面にホログラムの形成をおこなったが、カード形状では、Ｘ軸、Ｙ軸の直交する２方向に、光スポットとカード形状の複製用原盤との相対位置を走査して２次元面にホログラムの形成をおこなうことになる。そして、複製用原盤の製造装置では、Ｘ軸、Ｙ軸方向に光スポットとカード形状の複製用原盤との相対位置を変化させる機構を備える点以外は、上述の円盤形状における製造装置の構成がそのまま採用できるものである。
【０１２６】
また、複製ホログラム記録媒体の製造においては、光スポットを２次元に走査して複製ホログラム記録媒体を製造する場合は、円盤形状ではタンジェンシャル方向（周方向）およびラジアル方向（半径方向）への光スポットの移動によって複製ホログラム記録媒体にホログラムの形成をおこなったが、カード形状では、Ｘ軸、Ｙ軸の直交する２方向に光スポットとカード形状の複製用原盤との相対位置を移動させて複製ホログラム記録媒体へのホログラムの形成をおこなうことになる。また、光ビームを１次元方向に走査して複製ホログラム記録媒体を製造する場合は１次元方向に延びる１次元光ビームを光ビームが延びる方向と直交する方向に走査して複製ホログラム記録媒体へのホログラムの形成をおこなうことになる。また、２次元の面積を有する光ビームを用いる場合には円盤形状と同様に一括照射をする。
【０１２７】
また、複製用原盤の製造装置においては、円盤状である場合には参照光の入射方向と複製用原盤の回転との同期を取る等の操作が複製ホログラム記録媒体の製造を容易とするために必要とされたが、Ｘ軸、Ｙ軸の直交座標系を基準として動作するカード形状にあっては、このような複雑な処理は必要とされないので、複製用原盤の製造装置の機構は簡略化できる。
【０１２８】
上述した実施形態は、いずれも、本発明の一実施形態に過ぎず、上述の実施形態に本発明が限定されるものではない。例えば、複製用原盤、複製ホログラム記録媒体の形状は、円盤状の形状、カード状の形状に限定されるものではなく、複製ホログラム記録媒体は反射膜を有するもののみに限定されることなく透過するものであっても良く、複製用原盤および複製ホログラム記録媒体の各層の構造は上述した形態のみに限定されるものではなく、技術的な思想を同一とする範囲内の変形および組み合わせの実施形態も当然に本発明の範囲に含まれるものである。
【図面の簡単な説明】
【０１２９】
【図１】コアクシャル方式のホログラム記録装置の要部としての光学部の概念図である。
【図２】複製用原盤の製造装置の要部としての光学部の概念図である。
【図３】図２の部分拡大図である。
【図４】入射角度と反射率の関係を示すグラフである
【図５】複製用原盤の製造装置の要部としての光学部の概念図である。
【図６】複製用原盤の表面側から見たホログラム形成領域と原盤製造用参照光との関係を示す図である。
【図７】複製用原盤の回転角度が異なる位置に記録されたホログラムと原盤製造用参照光との関係を示す図である。
【図８】複製用原盤の製造装置の要部としての光学部の概念図である。
【図９】複製用原盤の回転角度が異なる位置に記録されたホログラムと原盤製造用参照光との関係を示す図である。
【図１０】複製用原盤の製造装置の要部としての光学部の概念図である。
【図１１】複製ホログラム記録媒体製造装置の概念図である。
【図１２】複製ホログラム記録媒体の上側から見た透視図によって、光スポットとして形成された複製用参照光を示す図である。
【図１３】図１１の部分拡大図である。
【図１４】複製ホログラム記録媒体製造装置の概念図である。
【図１５】複製ホログラム記録媒体の上側から見た透視図によって、光の帯として形成された複製用参照光を示す図である。
【図１６】複製ホログラム記録媒体製造装置の概念図である。
【図１７】複製ホログラム記録媒体の上側から見た透視図によって、２次元に拡げられた複製用参照光を示す図である。
【図１８】被変調コアクシャル光の集光の位置が図３に示すものと異なる場合のホログラム形成領域の部分拡大図である。
【図１９】図２と略同様の光学部を用い、複製用原盤の上方から原盤製造用参照光を照射する例を示す図である。
【図２０】被変調コアクシャル光の集光の位置が図３および図１８に示すものと異なる場合のホログラム形成領域の部分拡大図である。
【図２１】被変調コアクシャル光の集光の位置が図３、図１８および図２０に示すものと異なる場合のホログラム形成領域の部分拡大図である。
【符号の説明】
【０１３０】
１０、１００、１１０、１２０、１３０、１３５  光学部、２０、３０、９０  レーザ光源、２２、３２ａ、３２ｂ  偏光ビームスプリッタ、２３、３３ａ、３３ｂ  空間光変調器、２４、２６、３４、３６  フーリエ変換レンズ、２５、３５  アイリス、２７  １／４波長板、４０  半波長板、４１、４２  １／４波長板ユニット、２８、対物レンズ、２９、イメージセンサ、３８、３９  対物レンズ、４４  アパーチャー、４５ａ、４５ｂ  ミラー、４７ａ、４７ｂ  装着用部材、４８  スピンドルモータ、４８ａ  スピンドルモータ回転軸、４８ｂ  スピンドルモータ固定部、４８ｃ  回転角度検出器、４９  移動台座、５０  ホログラム記録媒体、５０ａ、６０ａ、８０ａ  記録層、５０ｂ、５０ｃ、６０ｂ、６０ｃ、８０ｂ、８０ｃ  保持基板、５０ｄ  反射層、５０ｅ  保護層、５１  光学部回転モータ、５１ａ  光学部回転モータ回転軸、５１ｂ  光学部回転モータ固定部、５１ｃ  回転角度検出器、５２  制御部、５３、５４  波長板ユニットアクチュエータ、６０Ａ、６０Ｂ、６０Ｃ、６０Ｄ、６０Ｅ  複製用原盤、６１ａ、６１ｂ  ダミーガラス、６２ａ、６２ｂ、６２ｃ、６２ｄ、６２ｅ  プリズム、６３  オイル、７１  可動光学部回転モータ、７１ａ  回転軸、７１ｂ  固定部、７３、７４  プーリ、７５ａ  コアクシャル光、７５ｂ  被変調コアクシャル光、７６ａ、７６ｂ  原盤製造用参照光、７７  可動部回転検出器、８０Ａ、８０Ｂ、８０Ｃ，８０Ｄ  ホログラム記録媒体、８５ａ、８５ｂ、８５ｃ  複製用参照光、９１ａ、９１ｂ、９１ｃ  ミラー、９２ａ、９２ｂ、９２ｃ、９２ｄ  アナモプリズム、９７ａ、９７ｂ  装着用部材、９８  スピンドルモータ、９８ａ  スピンドルモータ回転軸、１４０、１５０、１６０  複製ホログラム記録媒体製造装置、１４５ａ、１４５ｂ、１４５ｃ、１４５ｄ  ミラー、Ｈａ、Ｈｂ、Ｈｃ、Ｈｄ  ホログラム
【図１】
2008027532.tif 000003
【図２】
2008027532.tif 000004
【図３】
2008027532.tif 000005
【図４】
2008027532.tif 000006
【図５】
2008027532.tif 000007
【図６】
2008027532.tif 000008
【図７】
2008027532.tif 000009
【図８】
2008027532.tif 000010
【図９】
2008027532.tif 000011
【図１０】
2008027532.tif 000012
【図１１】
2008027532.tif 000013
【図１２】
2008027532.tif 000014
【図１３】
2008027532.tif 000015
【図１４】
2008027532.tif 000016
【図１５】
2008027532.tif 000017
【図１６】
2008027532.tif 000018
【図１７】
2008027532.tif 000019
【図１８】
2008027532.tif 000020
【図１９】
2008027532.tif 000021
【図２０】
2008027532.tif 000022
【図２１】
2008027532.tif 000023